(57)【要約】  特定の実施形態によれば、無線デバイス（１１０）は、インターフェース（１１１）と、インターフェース（１１１）に対して動作可能に結合された処理回路（１１２）とを含む。インターフェース（１１１）は、第１のノード（１００）から補助情報を受信するように設定されている。補助情報は第１の参照ＴＰに関連したデータを含む。第１の参照ＴＰは２つ以上のＴＰを有するセルにあり得る。処理回路（１１２）は、第１の参照ＴＰに関連したデータを使用して第１の参照信号時間差（ＲＳＴＤ）の測定値を計算するように設定されている。【選択図】図５
2019530292.tif 000002
【特許請求の範囲】
【請求項１】
無線デバイス（１１０）において参照送信ポイント（ＴＰ）を選択するための方法であって、
第１のノードから補助情報を受信することであって、前記補助情報が、２つ以上のＴＰを有するセル内に位置する第１の参照ＴＰに関連したデータを含む、補助情報を受信することと、
前記第１の参照ＴＰに関連したデータを使用して第１の参照信号時間差（ＲＳＴＤ）の測定値を計算することとを含む方法。
【請求項２】
前記第１のＲＳＴＤ測定値を第２のノードに通信することをさらに含む、請求項１に記載の方法。
【請求項３】
前記第１のノードと前記第２のノードが同一のノードである、請求項２に記載の方法。
【請求項４】
前記無線デバイス（１１０）の運用上のタスクにおいて前記第１のＲＳＴＤ測定値を利用することをさらに含む、請求項１に記載の方法。
【請求項５】
前記第１の参照ＴＰに関連した前記データがＴＰ固有の識別子を含む、請求項１に記載の方法。
【請求項６】
前記第１の参照ＴＰに関連した前記データがＴＰ固有のミューティングパターンを含む、請求項１に記載の方法。
【請求項７】
２つ以上のＴＰを有するセルにおけるＲＳＴＤ測定をサポートする前記無線デバイス（１１０）の能力を第２のノードに通信することをさらに含む、請求項１に記載の方法。
【請求項８】
前記第１のノードと前記第２のノードが同一のノードである、請求項７に記載の方法。
【請求項９】
前記第１の参照ＴＰに関連した前記データが前記第１の参照ＴＰに関連した参照セルを含む、請求項１に記載の方法。
【請求項１０】
前記第１の参照ＴＰは受入れ可能なＲＳＴＤ測定値をもたらさないと決定することと、
前記第１の参照ＴＰとは異なる第２の参照ＴＰを選択することと、
前記第２の参照ＴＰからの第２のＲＳＴＤ測定値を計算することとをさらに含む、請求項１に記載の方法。
【請求項１１】
前記第２のＲＳＴＤ測定値を第２のノードに通信することをさらに含む、請求項１０に記載の方法。
【請求項１２】
前記第１のノードと前記第２のノードが同一のノードであり、前記第１の参照ＴＰと前記第２の参照ＴＰが同一の参照ＴＰである、請求項１１に記載の方法。
【請求項１３】
前記第２のノードに、前記第２の参照ＴＰに関連した参照セルを通信することをさらに含む、請求項１０に記載の方法。
【請求項１４】
前記第１の参照ＴＰとは異なる第２の参照ＴＰを、前記第１のノードまたは第２のノードのうち少なくとも１つに通信することをさらに含む、請求項１に記載の方法。
【請求項１５】
前記第１のノードが、測位ノード、ｅＮｏｄｅＢ、無線基地局、およびＵＥを含むグループから選択されたノードである、請求項１に記載の方法。
【請求項１６】
ネットワークノード（１００）において参照送信ポイント（ＴＰ）を選択するための方法であって、
第１の参照信号時間差（ＲＳＴＤ）測定値を計算するために無線デバイス（１１０）が使用する第１の参照ＴＰを決定することであって、前記第１の参照ＴＰが２つ以上のＴＰを有するセル内に位置する、第１の参照ＴＰを決定することと、
前記第１の参照ＴＰに関連したデータを含む補助情報を前記無線デバイス（１１０）に通信することとを含む方法。
【請求項１７】
前記無線デバイス（１１０）から、２つ以上のＴＰを有するセルにおけるＲＳＴＤ測定をサポートする前記無線デバイス（１１０）の能力を受信することをさらに含む、請求項１６に記載の方法。
【請求項１８】
第１のノードから、前記第１の参照ＴＰに関連したデータを受信することをさらに含む、請求項１６に記載の方法。
【請求項１９】
前記第１のノードが、ｅＮｏｄｅＢ、測位ノード、無線ネットワークノード、および無線デバイス（１１０）を含むグループから選択されたノードである、請求項１８に記載の方法。
【請求項２０】
前記第１の参照ＴＰに関連した前記データがＴＰ固有の識別子を含む、請求項１６に記載の方法。
【請求項２１】
前記第１の参照ＴＰに関連した前記データがＴＰ固有のミューティングパターンを含む、請求項１６に記載の方法。
【請求項２２】
前記第１の参照ＴＰに関連した前記データが前記第１の参照ＴＰに関連した参照セルを含む、請求項１６に記載の方法。
【請求項２３】
前記無線デバイス（１１０）から、前記第１の参照ＴＰに関連した前記データに関連した第１のＲＳＴＤ測定値を受信することをさらに含む、請求項１６に記載の方法。
【請求項２４】
前記無線デバイス（１１０）から第２の参照ＴＰの指示を受信することをさらに含む、請求項１６に記載の方法。
【請求項２５】
前記第２の参照ＴＰの指示が前記第２の参照ＴＰに関連した参照セルを含む、請求項２４に記載の方法。
【請求項２６】
前記第１の参照ＴＰと前記第２の参照ＴＰが同一の参照ＴＰである、請求項２４に記載の方法。
【請求項２７】
第１のノードから補助情報を受信するように設定されたインターフェース（１１１）であって、前記補助情報が、２つ以上のＴＰを有するセル内に位置する第１の参照ＴＰに関連したデータを含む、インターフェース（１１１）と、
前記第１の参照ＴＰに関連したデータを使用して第１の参照信号時間差（ＲＳＴＤ）の測定値を計算するように設定されている処理回路（１１２）とを備える、無線デバイス（１１０）。
【請求項２８】
前記インターフェース（１１１）が前記第１のＲＳＴＤ測定値を第２のノードに通信するようにさらに設定されている、請求項２７に記載の無線デバイス（１１０）。
【請求項２９】
前記第１のノードと前記第２のノードが同一のノードである、請求項２８に記載の無線デバイス（１１０）。
【請求項３０】
前記処理回路（１１２）が、前記無線デバイス（１１０）の運用上のタスクにおいて前記第１のＲＳＴＤ測定値を利用するようにさらに設定されている、請求項２７に記載の無線デバイス（１１０）。
【請求項３１】
前記第１の参照ＴＰに関連した前記データがＴＰ固有の識別子を含む、請求項２７に記載の無線デバイス（１１０）。
【請求項３２】
前記第１の参照ＴＰに関連した前記データがＴＰ固有のミューティングパターンを含む、請求項２７に記載の無線デバイス（１１０）。
【請求項３３】
前記インターフェース（１１１）が、２つ以上のＴＰを有するセルにおけるＲＳＴＤ測定をサポートする前記無線デバイス（１１０）の能力を、第２のノードに通信するようにさらに設定されている、請求項２７に記載の無線デバイス（１１０）。
【請求項３４】
前記第１のノードと前記第２のノードが同一のノードである、請求項３３に記載の無線デバイス（１１０）。
【請求項３５】
前記第１の参照ＴＰに関連した前記データが前記第１の参照ＴＰに関連した参照セルを含む、請求項２７に記載の無線デバイス（１１０）。
【請求項３６】
前記処理回路（１１２）が、
前記第１の参照ＴＰは受入れ可能なＲＳＴＤ測定値をもたらさないと決定し、
前記第１の参照ＴＰとは異なる第２の参照ＴＰを選択し、
前記第２の参照ＴＰからの第２のＲＳＴＤ測定値を計算するようにさらに設定されている、請求項２７に記載の無線デバイス（１１０）。
【請求項３７】
前記インターフェース（１１１）が前記第２のＲＳＴＤ測定値を第２のノードに通信するようにさらに設定されている、請求項３６に記載の無線デバイス（１１０）。
【請求項３８】
前記第１のノードと前記第２のノードが同一のノードであり、前記第１の参照ＴＰと前記第２の参照ＴＰが同一の参照ＴＰである、請求項３７に記載の無線デバイス（１１０）。
【請求項３９】
前記インターフェース（１１１）が、前記第２の参照ＴＰに関連した参照セルを通信するようにさらに設定されている、請求項２７に記載の無線デバイス（１１０）。
【請求項４０】
前記インターフェース（１１１）が、前記第１の参照ＴＰとは異なる第２の参照ＴＰを、前記第１のノードまたは第２のノードのうち少なくとも１つに通信するようにさらに設定されている、請求項２７に記載の無線デバイス（１１０）。
【請求項４１】
前記第１のノードが、測位ノード、ｅＮｏｄｅＢ、無線基地局、およびＵＥを含むグループから選択されたノードである、請求項２７に記載の無線デバイス（１１０）。
【請求項４２】
第１の参照信号時間差（ＲＳＴＤ）測定値を計算するために無線デバイス（１１０）が使用する第１の参照ＴＰを決定するように設定されている処理回路（１０２）であって、前記第１の参照ＴＰが２つ以上のＴＰを有するセル内に位置する、処理回路（１０２）と、
前記第１の参照ＴＰに関連したデータを含む補助情報を前記無線デバイス（１１０）に通信するように設定されているインターフェース（１０１）とを備えるネットワークノード（１００）。
【請求項４３】
前記インターフェース（１０１）が、２つ以上のＴＰを有するセルにおけるＲＳＴＤ測定をサポートする前記無線デバイス（１１０）の能力を、前記無線デバイス（１１０）から受信するようにさらに設定されている、請求項４２に記載のネットワークノード（１００）。
【請求項４４】
前記インターフェース（１０１）が第１のノードから前記第１の参照ＴＰに関連したデータを受信するようにさらに設定されている、請求項４２に記載のネットワークノード（１００）。
【請求項４５】
前記第１のノードが、ｅＮｏｄｅＢ、測位ノード、無線ネットワークノード、および無線デバイス（１１０）を含むグループから選択されたノードである、請求項４４に記載のネットワークノード（１００）。
【請求項４６】
前記第１の参照ＴＰに関連した前記データがＴＰ固有の識別子を含む、請求項４２に記載のネットワークノード（１００）。
【請求項４７】
前記第１の参照ＴＰに関連した前記データがＴＰ固有のミューティングパターンを含む、請求項４２に記載のネットワークノード（１００）。
【請求項４８】
前記第１の参照ＴＰに関連した前記データが前記第１の参照ＴＰに関連した参照セルを含む、請求項４２に記載のネットワークノード（１００）。
【請求項４９】
前記インターフェース（１０１）が、前記無線デバイス（１１０）から、前記第１の参照ＴＰに関連した前記データに関連した第１のＲＳＴＤ測定値を受信するようにさらに設定されている、請求項４２に記載のネットワークノード（１００）。
【請求項５０】
前記インターフェース（１０１）が前記無線デバイス（１１０）から第２の参照ＴＰの指示を受信するようにさらに設定されている、請求項４２に記載のネットワークノード（１００）。
【請求項５１】
前記第２の参照ＴＰの指示が前記第２の参照ＴＰに関連した参照セルを含む、請求項５０に記載のネットワークノード（１００）。
【請求項５２】
前記第１の参照ＴＰと前記第２の参照ＴＰが同一の参照ＴＰである、請求項５０に記載のネットワークノード（１００）。
【発明の詳細な説明】
【技術分野】
【０００１】
本開示は、一般に位置決定に関し、より具体的には参照信号の時間差測定用の参照送信ポイントの選択を制御することに関するものである。
【背景技術】
【０００２】
ターゲットデバイス（たとえば、とりわけ、無線デバイスまたはＵＥ、移動中継局、ＰＤＡ、マシン型通信（別名マシン対マシン通信）用の無線デバイス、無線デバイスまたは無線機器を取り付けたラップトップコンピュータ）の位置を決定するためのいくつかの測位方法が存在する。ターゲットデバイスの位置は、適切な測定ノードまたはターゲットデバイスによって実施され得る１つまたは複数の測位測定を使用することによって決定される。測定ノードは、使用される測位方法に応じて複数のデバイスであり得、ターゲットデバイス自体、個別の無線ノード（たとえばスタンドアロンのノード）、ならびにターゲットデバイスのサービングノードおよび／または近隣ノードを含むがこれらには限定されない。測定はまた、測位方法に応じて、１つまたは複数のタイプの測定ノードによって実施され得る。
【０００３】
図１は、特定の実施形態による、ＬＴＥネットワークにおける例示の測位アーキテクチャを図解するものである。図１のＬＴＥアーキテクチャは、いわゆるＬＣＳ−ＡＰインターフェースを介してコアネットワーク（たとえば移動性管理エンティティ（ＭＭＥ））に接続されたエボルブドサービングモバイルロケーションセンタ（Ｅ−ＳＭＬＣ）、および規格化されたＬｇインターフェースを介してＭＭＥに接続されたゲートウェイモバイルロケーションセンタ（ＧＭＬＣ）を規定することによって位置サービスをサポートするものである。ＬＴＥシステムは、無線アクセスネットワーク（ＲＡＮ）のカバレッジエリアの範囲内のターゲットデバイス（たとえばＵＥ）の位置を突きとめる、ある範囲の方法をサポートするものである。これらの方法は、精度および利用可能性において異なる。一般的には、衛星ベースの方法（たとえばＧＰＳ、補助ＧＮＳＳ）は、（数）メートルの分解能を伴う正確さであるが、屋内の環境では利用できないことがある。他方では、セルＩＤベースの方法は、正確性ははるかに劣るが、高度の利用可能性を有する。したがって、いくつかの実施形態では、ＬＴＥは、測位のための第１の方法としてＡ−ＧＰＳを使用し、セルＩＤおよびＯｂｓｅｒｖｅｄ  Ｔｉｍｅ  Ｄｉｆｆｅｒｅｎｃｅ  Ｏｆ  Ａｒｒｉｖａｌ（ＯＴＤＯＡ）ベースの方式がフォールバック方法としてサーブする。
【０００４】
ＬＴＥでは、ターゲットデバイス（たとえばＵＥ）、ｅＮｏｄｅ  Ｂまたは測位測定専用の無線ノード（たとえばＬＭＵ）は、測位ノード（別名Ｅ−ＳＭＬＣまたは位置サーバ）により、測位方法に応じて１つまたは複数の測位測定を実施するように設定される。測位測定は、ターゲットデバイスの位置を決定するために、ターゲットデバイスまたは測定ノードまたは測位ノードによって使用される。ＬＴＥでは、測位ノードは、ＬＴＥ測位プロトコル（ＬＰＰ）を使用してＵＥと通信し、ＬＴＥ測位プロトコルアネックス（ＬＰＰａ）を使用してｅＮｏｄｅ  Ｂと通信する。
【０００５】
図１を参照して、ＬＴＥ測位アーキテクチャにおける３つの重要なネットワークエレメントは、ＬＣＳクライアント、ＬＣＳターゲットおよびＬＣＳサーバである。ＬＣＳサーバは、測定結果および他の位置情報を収集し、測定において必要とあれば端末を支援し、ＬＣＳターゲットの位置を推定することにより、ＬＣＳターゲットデバイスの測位を管理する物理エンティティまたは論理エンティティである。ＬＣＳクライアントは、１つまたは複数のＬＣＳターゲット（すなわち測位されているエンティティ）の位置情報を得るためにＬＣＳサーバと相互作用するソフトウェアエンティティおよび／またはハードウェアエンティティである。ＬＣＳクライアントは、ＬＣＳターゲット自体に存在してもよい。ＬＣＳクライアントは位置情報を得るためにＬＣＳサーバへ要求を送り、ＬＣＳサーバは受信した要求を処理してこれにサーブし、測位結果および任意選択の速度推定をＬＣＳクライアントへ送る。測位要求は、端末またはネットワークノードまたは外部クライアントから発信され得る。
【０００６】
位置計算は、たとえば測位サーバ（たとえばＬＴＥにおけるＥ−ＳＭＬＣまたはＳＬＰ）またはＵＥによって行われ得る。測位サーバの手法は、ＵＥ測定に基づくとき、ＵＥ支援の測位モードに対応し、ＵＥの手法はＵＥベースの測位モードに対応する。
【０００７】
Ｏｂｓｅｒｖｅｄ  Ｔｉｍｅ  Ｄｉｆｆｅｒｅｎｃｅ  Ｏｆ  Ａｒｒｉｖａｌ（ＯＴＤＯＡ）の測位
ＬＴＥでは、ＯＴＤＯＡの方法は、ＵＥ位置を決定するために、無線ノードからの信号の到着の時間差に関係のあるＵＥ測定を使用する。ＯＴＤＯＡの測定の速度を上げ、精度も改善するために、測位サーバは、ターゲットデバイスにＯＴＤＯＡの支援情報を提供する。ＯＴＤＯＡは、ＵＥベースの測位方法またはＵＥ支援の測位方法でもあり得る。ＵＥベースの測位方法ではターゲットデバイスが自分自身の位置を決定するが、ＵＥ支援の測位方法では、測位サーバ（たとえばＥ−ＳＭＬＣ）は、ターゲットデバイスから受信したＯＴＤＯＡの測定結果を使用してターゲットデバイスの位置を決定する。
【０００８】
ＬＴＥのＯＴＤＯＡのＵＥ測定は、測位参照信号（ＰＲＳ）を用いて実施される。各ＲＳＴＤ測定は、参照セルによって送信されたＣＲＳまたはＰＲＳのいずれか、および近隣セルから送信されたＰＲＳを用いて実施される。十分な測位精度を達成するために、複数の別個の対のサイト（参照セルおよび近隣のセル）からのＲＳＴＤ測定値が必要とされる。
【０００９】
いくつかの実施形態では、ＰＲＳは、あらかじめ規定されたパターンに従って１つのアンテナポート（Ｒ６）から送信される。図２は、特定の実施形態による例示のＰＲＳパターンを図解するものである。図２では、マークのある正方形は、１４のＯＦＤＭシンボル（通常のサイクリックプレフィックスを有する１ミリ秒のサブフレーム）にわたる１２のサブキャリアのブロックの範囲内のＰＲＳリソースエレメントを指示する。あらかじめ規定されたＰＲＳパターンに対して１組の周波数シフトを適用して１組の直交パターンを得ることができ、これがＰＲＳの干渉を低減するために近隣のセルに使用され得、したがって測位測定を改善する。６つの有効周波数の再利用がこのようにモデル化され得る。周波数シフトは、物理セルＩＤ（ＰＣＩ）の関数として次式で規定される。
Ｖｓｈｉｆｔ＝ｍｏｄ（ＰＣＩ，６）
ＰＲＳはまた、ゼロ電力で送信され得、または弱められた電力もしくは低減された電力で送信され得る。ＰＲＳは、いくつかの連続したサブフレーム（ＮＰＲＳ）すなわち１つの測位機会によってグループ化された、あらかじめ規定された測位サブフレームで送信され、これは、Ｎ個のサブフレームの特定の周期性（すなわち２つの測位機会間の時間間隔）で周期的に生じる。期間Ｎは、１６０ミリ秒、３２０ミリ秒、６４０ミリ秒、および１２８０ミリ秒であり、連続したサブフレームの数ＮＰＲＳは１、２、４、または６であり得る。
【００１０】
ＰＲＳの聞き取りやすさを改善するために、すなわち、ＰＲＳを複数のサイトから適切な品質で検知することを可能にするために、測位サブフレームは低干渉のサブフレームとして設計されており、すなわち、測位サブフレームでは一般にデータ送信が許されないことも合意されている。結果として、同期ネットワークにおけるＰＲＳに対する干渉は、理想的には同一のＰＲＳパターンインデックス（すなわち同一の垂直方向シフトｖ＿ｓｈｉｆｔ）を有する他のセルからのＰＲＳによるもののみであり、データ送信による干渉はない。
【００１１】
参照信号時間差（ＲＳＴＤ）の測定
ＲＳＴＤ測定の規定は、現在、セルに関して、３ＧＰＰ  ＴＳ  ３６．２１４において以下のように指定されている。
2019530292.tif 000003
【００１２】
上記に見られるように、ＲＳＴＤ測定は、測定されたセルタイミングおよび参照セルタイミングといった２つの要素から成る。参照セル（ネットワークによって選択される）は、ＬＰＰ（ＴＳ  ３６．３５５）を介して、以下のようにＯＴＤＯＡの補助データでＵＥに指示される。
2019530292.tif 000004
【００１３】
以下のように、ＵＥは、参照セルを再び選択して、ＵＥが選択した参照セルをＲＳＴＤ測定結果とともに（ＬＰＰ、ＴＳ  ３６．３５５を介して）報告することも可能である。
2019530292.tif 000005
2019530292.tif 000006
【００１４】
共用セル
共用セルは、複数の地理的に分離された送信ポイント（ＴＰ）からＵＥへの送信が動的に調整される、ダウンリンク（ＤＬ）が統合されたマルチポイント（ＣｏＭＰ）のタイプである。共用セルの固有の特徴は、共用セルの内部のすべての送信ポイントが同一の物理セルＩＤ（ＰＣＩ）を有することである。これは、ＵＥがＰＣＩ復号によって各ＴＰを区別するのは不可能であることを意味する。ＰＣＩは、たとえばセル識別などの測定手順中に取得される。
【００１５】
図３は、特定の実施形態による、１つのマクロセルおよびいくつかのＲＲＨを備える例示の共用セルを図解するものである。図３に図解されているように、一般的な配置では、共用セルは、ＲＲＨによって生成された送信ポイント／受信ポイントがマクロセルのものと同一のセルＩＤを有するマクロセルカバレッジの範囲内の、低電力ＲＲＨを有するヘテロジニアスネットワークから成る。一般に、共用セルは、１組の低電力ノード（ＬＰＮ）とサーブする高電力ノード（ＨＰＮ）から構成される。
【００１６】
共用セルの手法は、（マクロポイントのカバレッジエリアの範囲内の）すべてのポイントに対して同一のセル固有の信号を送達することによって実施され得る。そのような方策を用いて、一次同期信号（ＰＳＳ）、二次同期信号（ＳＳＳ）、セル固有の参照信号（ＣＲＳ）、測位参照信号（ＰＲＳ）などの同一の物理信号と、物理的ブロードキャストチャネル（ＰＢＣＨ）、ページングおよびシステム情報のブロック（ＳＩＢ）を含有している物理的ダウンリンク共用チャネル（ＰＤＳＣＨ）、制御チャネル（ＰＤＣＣＨ、ＰＣＦＩＣＨ、ＰＨＩＣＨ）などの同一の物理チャネルとが、ＤＬにおいて各ＴＰから送信される。共用の範囲内のＴＰ間の送信タイミングの点で緊密な同期が、任意の対のノード間で、たとえば約±１００ナノ秒で使用される。これは、Ｍ個のポイントから送信されて空中で組み合わされる物理信号および物理チャネルを可能にする。組合せは、ブロードキャストのための単一周波数ネットワーク（ＳＦＮ）におけるものに類似である。ＳＦＮの効果により、ＵＥ側で受信される信号の平均強度が増加して、同期および制御チャネルのカバレッジが改善される。
【００１７】
ＨＰＮの最大出力は、一般的には４３〜４９ｄＢｍにあり得る。ＨＰＮの例にはマクロノード（別名広域基地局）がある。低電力ノードの例には、マイクロノード（別名中位領域基地局）、ピコノード（別名局所領域基地局）、フェムトノード（家庭内基地局、またはＨＢＳ）、中継ノードなどがある。低電力ノードの最大出力は、電力クラスに応じて、たとえば一般的には２０〜３８ｄＢｍである。たとえば、ピコノードは一般的には２４ｄＢｍの最大出力を有し、ＨＢＳは２０ｄＢｍの最大出力を有する。
【００１８】
共用セルのサイズは、セル半径の点で、数百メートル（たとえば１００〜５００ｍ）から数キロメートル（たとえば１〜５ｋｍ）まで変化し得る。
【００１９】
共用セルという用語は、共通のセルＩＤを有するＣｏＭＰクラスタ、共通のセルＩＤを有するクラスタセル、組み合わされたセル、ＲＲＨ、ＲＲＵ、分散型アンテナシステム（ＤＡＳ）、共用セルＩＤを有するヘテロジニアスネットワークなど、他の類似の用語と区別なく使用される。同様に、送信ポイントという用語も、無線ノード、無線ネットワークノード、基地局、無線ユニット、リモートアンテナなどの他の類似の用語と区別なく使用される。これらはすべて同一の意味を持つ。本明細書では、一貫性のために、より一般的な用語でもある共用セルを使用する。その上、一貫性のために、共用セルの内部の個別のノードに関して送信ポイント（ＴＰ）という用語も使用される。
【００２０】
マルチキャリアまたはキャリアアグリゲーション
マルチキャリアまたはキャリアアグリゲーションのシステムでは、キャリアは、一般にコンポーネントキャリア（ＣＣ）と名づけられ、セルまたはサービングセルと称されることもある。原理的に、各ＣＣが複数のセルを有する。キャリアアグリゲーション（ＣＡ）という用語は、「マルチキャリアシステム」、「マルチセル動作」、「マルチキャリア動作」、「マルチキャリア」送信および／または「マルチキャリア」受信と呼ばれることもある（たとえば区別なくこう呼ばれる）。これは、ＣＡがアップリンクとダウンリンクの両方向でのシグナリングおよびデータ送信のために使用されることを意味する。ＣＣのうち１つは一次コンポーネントキャリア（ＰＣＣ）もしくは単に一次キャリアと呼ばれ、またはアンカキャリアと呼ばれることもある。もう１つは二次コンポーネントキャリア（ＳＣＣ）もしくは単に二次キャリアと呼ばれ、または二次的キャリアと呼ばれることもある。一般に、一次ＣＣすなわちアンカＣＣは、必須のＵＥ固有のシグナリングを搬送する。一次ＣＣ（別名ＰＣＣまたはＰＣｅｌｌ）はＣＡにおいてアップリンクとダウンリンクの両方向に存在する。単一のＵＬ  ＣＣがある場合には、ＰＣｅｌｌは明らかにこのＣＣ上にある。ネットワークは、同一のセクタまたはセルで動作する異なるＵＥに、異なる一次キャリアを割り当ててよい。
【００２１】
マルチキャリア動作は、マルチアンテナ送信とともに使用されることもある。たとえば、各ＣＣ上の信号は、ｅＮＢによって２つ以上のアンテナを通じてＵＥに送信されてよい。ＣＡにおけるＣＣは、同一のサイトもしくは基地局または無線ネットワークノード（たとえば中継ノード、移動中継ノードなど）に共同設置されてもされなくてもよい。たとえば、ＣＣは異なる位置から（たとえば配置されていないＢＳ、またはＢＳおよびＲＲＨもしくはＲＲＵから）発信（すなわち送受信）されてよい。組み合わされたＣＡとマルチポイント通信の例には、ＤＡＳ、ＲＲＨ、ＲＲＵ、ＣｏＭＰのマルチポイント送受信などがある。本明細書で開示される実施形態および特徴はマルチポイントキャリアアグリゲーションシステムにも適合するものであり、すなわちＣＡまたはＣｏＭＰなどと組み合わせたＣＡにおける各ＣＣに適用可能である。
【００２２】
現行の３ＧＰＰ規格は参照セルしかサポートせず、ＲＳＴＤ測定の参照ＴＰはサポートされないが、セルが共用セルである場合には複数のＴＰがあり得、複数のＴＰの組はＲＳＴＤ測定用の参照として使用され得ない。その上、具体的なＴＰを参照として選択することは、些細なことではない。
【発明の概要】
【００２３】
前述の問題に対処するために、無線デバイスにおいて参照送信ポイント（ＴＰ）を選択するための方法が開示される。この方法は、第１のノードから補助情報を受信することを含み、補助情報は、２つ以上のＴＰを有するセル内に位置する第１の参照ＴＰに関連したデータを含む。この方法は、第１の参照ＴＰに関連したデータを使用して、第１の参照信号時間差（ＲＳＴＤ）の測定値を計算することをさらに含み得る。いくつかの実施形態では、この方法は、第１のＲＳＴＤ測定値を第２のノードに通信することを含み得る。いくつかの実施形態では、第１のノードと第２のノードは同一のノードでよい。
【００２４】
特定の実施形態では、この方法は、無線デバイスの運用上のタスクにおいて第１のＲＳＴＤ測定値を利用することを含み得る。ＵＥの運用上のタスクは、とりわけ、無線デバイスの位置を決定すること、無線デバイスの送信のタイミングもしくはタイミングアドバンスを制御すること、ＲＲＭ、１つもしくは複数の内部もしくは外部のデータベースにＲＳＴＤ測定値を記憶すること、および／または自己組織化ネットワーク（ＳＯＮ）の解決策のためにＲＳＴＤ測定値を利用することを含み得る。
【００２５】
特定の実施形態では、第１の参照ＴＰに関連したデータはＴＰ固有の識別子を含む。特定の実施形態では、第１の参照ＴＰに関連したデータはＴＰ固有のミューティングパターンを含む。特定の実施形態では、第１の参照ＴＰに関連したデータは第１の参照ＴＰに関連した参照セルを含む。
【００２６】
特定の実施形態では、この方法は、２つ以上のＴＰを有するセルにおけるＲＳＴＤ測定をサポートする無線デバイスの能力を第２のノードに通信することをさらに含む。いくつかの実施形態では、第１のノードと第２のノードは同一のノードである。
【００２７】
特定の実施形態では、この方法は、第１の参照ＴＰが受入れ可能なＲＳＴＤ測定値をもたらさないと決定し、第１の参照ＴＰとは異なる第２の参照ＴＰを選択し、第２の参照ＴＰからの第２のＲＳＴＤ測定値を計算することをさらに含む。いくつかの実施形態では、この方法は、第２のＲＳＴＤ測定値を第２のノードに通信することをさらに含む。いくつかの実施形態では、第１のノードと第２のノードは同一のノードであり、第１の参照ＴＰと第２の参照ＴＰは同一の参照ＴＰである。いくつかの実施形態では、この方法は、第２の参照ＴＰに関連した参照セルを第２のノードに通信することをさらに含む。
【００２８】
特定の実施形態では、この方法は、第１の参照ＴＰとは異なる第２の参照ＴＰを、第１のノードまたは第２のノードのうち少なくとも１つに通信することを含む。
【００２９】
いくつかの実施形態では、第１のノードは、測位ノード、ｅＮｏｄｅＢ、無線基地局、およびＵＥを含むグループから選択されたノードである。
【００３０】
特定の実施形態によれば、ネットワークノードにおける参照送信ポイント（ＴＰ）を選択するための方法は、無線デバイスが第１の参照信号時間差（ＲＳＴＤ）の測定値を計算するために使用する第１の参照ＴＰを決定することを含み、第１の参照ＴＰは２つ以上のＴＰを有するセル内に位置する。この方法は、第１の参照ＴＰに関連したデータを含む補助情報を無線デバイスに通信することをさらに含む。
【００３１】
特定の実施形態では、この方法は、２つ以上のＴＰを有するセルにおけるＲＳＴＤ測定をサポートする無線デバイスの能力を、無線デバイスから受信することをさらに含んでよい。
【００３２】
特定の実施形態では、この方法は、第１の参照ＴＰに関連したデータを第１のノードから受信することをさらに含む。いくつかの実施形態では、第１のノードは、ｅＮｏｄｅＢ、測位ノード、無線ネットワークノード、および無線デバイスを含むグループから選択されたノードである。
【００３３】
特定の実施形態では、第１の参照ＴＰに関連したデータはＴＰ固有の識別子を含む。特定の実施形態では、第１の参照ＴＰに関連したデータはＴＰ固有のミューティングパターンを含む。特定の実施形態では、第１の参照ＴＰに関連したデータは第１の参照ＴＰに関連した参照セルを含む。
【００３４】
特定の実施形態では、この方法は、無線デバイスから、第１の参照ＴＰに関連したデータに関連した第１のＲＳＴＤ測定値を受信することをさらに含む。
【００３５】
特定の実施形態では、この方法は、無線デバイスから、第２の参照ＴＰの指示を受信することをさらに含む。いくつかの実施形態では、第２の参照ＴＰの指示は第２の参照ＴＰに関連した参照セルを含む。いくつかの実施形態では、第１の参照ＴＰと第２の参照ＴＰは同一の参照ＴＰである。
【００３６】
特定の実施形態によれば、無線デバイスは、インターフェースに対して動作可能に結合されたインターフェースおよび処理回路を含む。インターフェースは、第１のノードから補助情報を受信するように設定されている。補助情報は第１の参照ＴＰに関連したデータを含む。第１の参照ＴＰは２つ以上のＴＰを有するセル内に位置し得る。処理回路は、第１の参照ＴＰに関連したデータを使用して第１の参照信号時間差（ＲＳＴＤ）の測定値を計算するように設定されている。
【００３７】
特定の実施形態では、インターフェースは、第１のＲＳＴＤ測定値を第２のノードに通信してよい。いくつかの実施形態では、第１のノードと第２のノードは同一のノードでよい。
【００３８】
特定の実施形態では、第１の参照ＴＰに関連したデータは第１の参照ＴＰに関連した参照セルを含む。
【００３９】
特定の実施形態では、処理回路は、無線デバイスの運用上のタスクにおいて第１のＲＳＴＤ測定値を利用するようにさらに設定されている。ＵＥの運用上のタスクは、とりわけ、無線デバイスの位置を決定すること、無線デバイスの送信のタイミングもしくはタイミングアドバンスを制御すること、ＲＲＭ、１つもしくは複数の内部もしくは外部のデータベースにＲＳＴＤ測定値を記憶すること、および／または自己組織化ネットワーク（ＳＯＮ）の解決策のためにＲＳＴＤ測定値を利用することを含み得る。
【００４０】
特定の実施形態では、第１の参照ＴＰに関連したデータはＴＰ固有の識別子を含む。いくつかの実施形態では、第１の参照ＴＰに関連したデータはＴＰ固有のミューティングパターンを含む。
【００４１】
特定の実施形態では、インターフェースは、２つ以上のＴＰを有するセルにおけるＲＳＴＤ測定をサポートする無線デバイスの能力を第２のノードに通信してよい。いくつかの実施形態では、第１のノードと第２のノードは同一のノードでよい。
【００４２】
特定の実施形態では、処理回路は、第１の参照ＴＰが受入れ可能なＲＳＴＤ測定値をもたらさないと決定することがある。次いで、処理回路は、第１の参照ＴＰとは異なる第２の参照ＴＰを選択し、第２の参照ＴＰからの第２のＲＳＴＤ測定値を計算してよい。いくつかの実施形態では、インターフェースは、第２のＲＳＴＤ測定値を第２のノードに通信するように設定されている。いくつかの実施形態では、第１のノードと第２のノードは同一のノードであり、第１の参照ＴＰと第２の参照ＴＰは同一の参照ＴＰである。
【００４３】
特定の実施形態では、インターフェースは、第２の参照ＴＰに関連した参照セルを、第１のノードまたは第２のノードのうち少なくとも１つに通信するように設定されている。
【００４４】
特定の実施形態では、インターフェースは、第１の参照ＴＰとは異なる第２の参照ＴＰを、第１のノードまたは第２のノードのうち少なくとも１つに通信するように設定されている。
【００４５】
いくつかの実施形態では、第１のノードは、測位ノード、ｅＮｏｄｅＢ、無線基地局、およびＵＥを含むグループから選択されたノードである。
【００４６】
特定の実施形態によれば、ネットワークノードは、処理回路と、処理回路に対して動作可能に結合されたインターフェースとを含む。処理回路は、第１の参照信号時間差（ＲＳＴＤ）測定値を計算するために無線デバイスが使用する第１の参照ＴＰを決定するように設定されており、第１の参照ＴＰは２つ以上のＴＰを有するセル内に位置する。インターフェースは、第１の参照ＴＰに関連したデータを含む補助情報を無線デバイスに通信するように設定されている。
【００４７】
特定の実施形態では、インターフェースは、無線デバイスから、２つ以上のＴＰを有するセルにおけるＲＳＴＤ測定をサポートする能力を受信するようにさらに設定されている。いくつかの実施形態では、インターフェースは、第１のノードから、第１の参照ＴＰに関連したデータを受信するようにさらに設定されている。第１のノードは、ｅＮｏｄｅＢ、測位ノード、無線ネットワークノード、および無線デバイスを含むグループから選択されたノードでよい。
【００４８】
特定の実施形態では、第１の参照ＴＰに関連したデータはＴＰ固有の識別子を含む。特定の実施形態では、第１の参照ＴＰに関連したデータはＴＰ固有のミューティングパターンを含む。特定の実施形態では、第１の参照ＴＰに関連したデータは第１の参照ＴＰに関連した参照セルを含む。
【００４９】
特定の実施形態では、インターフェースは、無線デバイスから、第１の参照ＴＰに関連したデータに関連した第１のＲＳＴＤ測定値を受信するようにさらに設定されている。
【００５０】
特定の実施形態では、インターフェースは、無線デバイスから、第２の参照ＴＰの指示を受信するようにさらに設定されている。いくつかの実施形態では、第２の参照ＴＰの指示は第２の参照ＴＰに関連した参照セルを含む。いくつかの実施形態では、第１の参照ＴＰと第２の参照ＴＰは同一の参照ＴＰである。
【００５１】
本開示の特定の実施形態は、１つまたは複数の技術的な利点を提供し得るものである。たとえば、特定の実施形態は、ＲＳＴＤ測定の参照としてＴＰを使用することを可能にし、これによってＲＳＴＤ測定のさらなる参照ソースを可能にし得る。特定の実施形態では、ＲＳＴＤ測定のさらなる参照ソースは、利用可能なＴＰおよびＵＥの位置に応じて、より正確なＲＳＴＤ測定を可能にし得る。特定の実施形態は、参照セルとしてのＴＰの最適な選択を可能にすることにより、ＵＥ位置を決定するために使用される測定値の受信を改善し得る。それゆえに、特定の実施形態は、ＵＥの、改善された位置推定および／またはより効率のよい位置推定を有利に可能にし得る。
【００５２】
開示された実施形態ならびに特徴および利点のより完全な理解のために、添付図面とともに以下の説明が次に参照される。
【図面の簡単な説明】
【００５３】
【図１】特定の実施形態による、ＬＴＥネットワークにおける例示の測位アーキテクチャの図解である。
【図２】特定の実施形態による例示のＰＲＳパターンの図解である。
【図３】特定の実施形態による、１つのマクロセルおよびいくつかのＲＲＨを備える例示の共用セルの図解である。
【図４】特定の実施形態による無線通信ネットワークの概略図である。
【図５】特定の実施形態による、ＲＳＴＤ測定用の参照ＴＰの選択を制御するための信号流れ図の図解である。
【図６】特定の実施形態による、無線デバイスにおいてＲＳＴＤ測定用の参照ＴＰの選択を制御するための方法の流れ図である。
【図７】特定の実施形態による、ネットワークノードにおいてＲＳＴＤ測定用の参照ＴＰの選択を制御するための方法の流れ図である。
【図８】特定の実施形態による、例示的な無線ネットワークコントローラまたはコアネットワークノードの概略ブロック図である。
【図９】特定の実施形態による、例示的無線デバイスの概略ブロック図である。
【図１０】特定の実施形態による、例示的ネットワークノードの概略ブロック図である。
【発明を実施するための形態】
【００５４】
上記で説明されたように、参照信号時間差（ＲＳＴＤ）測定のために参照送信ポイント（ＴＰ）を選択することに関連した複数の技術的問題がある。たとえば、共用セルの設定は複数のＴＰを含み得る。しかしながら、共用セル内部のＴＰは同一の物理セルＩＤを有し得、これは、無線デバイスが単純に物理セルＩＤ復号を使用してもＴＰ間を識別し得ないことを意味する。複数のＴＰは、総体として、ＲＳＴＤ測定のための参照として使用され得ず、このために無線デバイスがＲＳＴＤ参照を選択するのに利用可能な選択肢が制限される。
【００５５】
ＲＳＴＤ測定のための参照ＴＰの選択を制御することは、現行システムによって実現されない複数の技術的な利点をもたらす。特定の実施形態は、ＲＳＴＤ測定の参照としてＴＰを使用することを可能にし得、これによって、ＴＰが共用セルの一部分であっても、ＲＳＴＤ測定のさらなる参照ソースを可能にする。ＲＳＴＤ測定のさらなる参照ソースは、利用可能なＴＰおよびＵＥの位置に応じて、より正確なＲＳＴＤ測定を可能にし得る。特定の実施形態は、参照セルとしてＴＰの最適な選択を可能にすることにより、ＵＥ位置を決定するために使用される測定値の受信を改善し得る。それゆえに、特定の実施形態は、ＵＥの、改善された位置推定および／またはより効率のよい位置推定を有利に可能にし得る。図４〜図１０は、これらおよび他の利点をもたらし得る、ＲＳＴＤ測定用の参照ＴＰの選択を制御するためのさらなる詳細を提供するものである。
【００５６】
図４は、特定の実施形態による無線通信ネットワーク４００の概略図である。図解された実施形態において、図４は、ネットワーク１２０、ネットワークノード１００ａ〜１００ｂ（ネットワークノード１００ａは一般に「ネットワークノード１００」と参照され得る）、および無線デバイス１１０を含む。無線デバイス１１０は、区別なくユーザ機器（ＵＥ）１１０と称され得る。異なる実施形態では、無線ネットワークは、任意数の有線または無線のネットワーク、ネットワークノード、基地局（ＢＳ）、コントローラ、無線デバイス、中継局、ならびに／あるいは、有線もしくは無線の接続を介したデータおよび／または信号の通信を容易にし得る、または同通信に関与し得る、任意の他の構成要素を備え得る。
【００５７】
ネットワーク１２０は、１つまたは複数のＩＰネットワーク、公衆スイッチ電話ネットワーク（ＰＳＴＮ）、パケットデータネットワーク、光学ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、都市内ネットワーク、およびデバイス間の通信を可能にするための他のネットワークを備え得る。
【００５８】
ネットワークノード１００は、任意の種類のネットワークノード１００を参照し得、これは、ノードＢ、基地局（ＢＳ）、無線基地局、マルチスタンダード無線（ＭＳＲ）の無線ノードたとえばＭＳＲ  ＢＳ、ｅＮｏｄｅ  Ｂ、ネットワークコントローラ、無線ネットワークコントローラ（ＲＮＣ）、マルチセル／マルチキャストの協調エンティティ（ＭＣＥ）、基地局コントローラ（ＢＳＣ）、中継ノード、ベーストランシーバ局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散型アンテナシステム（ＤＡＳ）のノード、コアネットワークノード（たとえばＭＳＣ、ＭＭＥ、ＳＯＮノード、協調ノードなど）、Ｏ＆Ｍ、ＯＳＳ、測位ノード（たとえばＥ−ＳＭＬＣ）、ＭＤＴ、外部ノード（たとえばサードパーティノード、現行のネットワークの外のノードなど）、または任意の適切なネットワークノードを備え得る。
【００５９】
ネットワークノード１００は、インターフェース１０１、プロセッサ１０２、記憶機構１０３、およびアンテナ１０４を備える。これらの構成要素は、単一のより大きなボックスの内部にある単一のボックスとして表現されている。しかしながら、実際には、ネットワークノード１００は、図解された単一の構成要素を構成する複数の異なる物理的構成要素を備え得る（たとえば、インターフェース１０１は、有線接続のために電線を結合するための端子と、無線接続のための無線トランシーバとを備え得る）。別の例として、ネットワークノード１００は、物理的に分離した複数の異なる構成要素が相互作用してネットワークノード１００の機能をもたらす仮想ネットワークノードでよい（たとえば、プロセッサ１０２は、３つの個別の筐体内にある３つの個別のプロセッサを備えてよく、各プロセッサが、ネットワークノード１００の特別なインスタンス向けの異なる機能に関与する）。同様に、ネットワークノード１００は、複数の物理的に分離した構成要素（たとえばＮｏｄｅＢ構成要素とＲＮＣ構成要素、ＢＴＳ構成要素とＢＳＣ構成要素、など）から成り得、各構成要素が、自身のプロセッサ、記憶機構、およびインターフェース構成要素を有し得る。ネットワークノード１００が複数の分離した構成要素（たとえばＢＴＳ構成要素およびＢＳＣ構成要素）を備える特定のシナリオでは、分離した構成要素のうち１つまたは複数がいくつかのネットワークノードの間で共有され得る。たとえば、単一のＲＮＣが複数のＮｏｄｅＢを制御してよい。そのようなシナリオでは、固有のＮｏｄｅＢとＢＳＣの対のそれぞれが、個別のネットワークノードでよい。いくつかの実施形態では、ネットワークノード１００は、複数の無線アクセス技術（ＲＡＴ）をサポートするように設定され得る。そのような実施形態では、いくつかの構成要素は二重（たとえば異なるＲＡＴ用の個別の記憶機構１０３）にされてよく、いくつかの構成要素は再利用されてよい（たとえばＲＡＴによって同一のアンテナ１０４が共有され得る）。
【００６０】
プロセッサ１０２は、マイクロプロセッサ、コントローラ、マイクロコントローラ、中央処理装置、デジタル信号プロセッサ、特定用途向け集積回路、フィールドプログラマブルゲートアレイ、処理回路、または任意の他の適切なコンピュータデバイス、リソースのうち１つまたは複数の組合せ、あるいは、単独で、または記憶機構１０３などネットワークノード１００の他の構成要素とともに、ネットワークノード１００の機能をもたらすように動作可能なハードウェア、ソフトウェアおよび／または符号化されたロジックの組合せでよい。たとえば、プロセッサ１０２は、記憶機構１０３に記憶された命令を実行してよい。そのような機能には、無線デバイス１１０などの無線デバイスに、本明細書で開示された機能または利点のうち任意のものを含めて、本明細書で論じられた様々な無線機能を与えることが含まれ得る。
【００６１】
記憶機構１０３は、限定することなく、持続性の記憶機構、ソリッドステートメモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性のコンピュータ可読記憶装置を備え得る。記憶機構１０３は、ネットワークノード１００によって利用される、ソフトウェアおよび符号化されたロジックを含む任意の適切な命令、データまたは情報を記憶し得る。記憶機構１０３は、プロセッサ１０２による任意の計算および／またはインターフェース１０１を介して受信した任意のデータを記憶するように使用され得る。
【００６２】
ネットワークノード１００はインターフェース１０１も備え、インターフェース１０１は、ネットワークノード１００、ネットワーク１２０、および／または無線デバイス１１０との間のシグナリングおよび／またはデータの有線または無線の通信において使用され得る。たとえば、インターフェース１０１は、ネットワークノード１００が有線接続を通じてネットワーク１２０との間でデータを送受信するのを可能にするために必要とされ得る、任意のフォーマット化、符号化、または書き換えを実施してよい。インターフェース１０１は、無線送信器および／または無線受信器も含み得、これらはアンテナ１０４に結合されてよく、アンテナ１０４の一部分でもよい。無線器は、他のネットワークノードまたは無線デバイス１１０に送付されるデジタルデータを、無線接続を介して受信してよい。無線器は、デジタルデータを、適切なチャネルおよび帯域幅パラメータを有する無線信号に変換してよい。次いで、無線信号が、アンテナ１０４を介して、たとえば無線デバイス１１０などの適切な受側に送信されてよい。
【００６３】
アンテナ１０４は、データおよび／または信号を無線で送受信することができる任意のタイプのアンテナでよい。いくつかの実施形態では、アンテナ１０４は、たとえば２ＧＨｚ〜６６ＧＨｚの無線信号を送受信するように動作可能な１つまたは複数の全方向アンテナ、セクタアンテナ、またはパネルアンテナを備え得る。全方向アンテナは任意の方向の無線信号を送受信するように使用されてよく、セクタアンテナは特別な領域内のデバイスから無線信号を送受信するように使用されてよく、パネルアンテナは、比較的直線の無線信号を送受信するために使用される見通し線アンテナでよい。
【００６４】
無線デバイス１１０は、ネットワークノード１００などのネットワークノードおよび／または他の無線デバイス１１０との間で、データおよび／または信号を無線で送受信することができる、任意のタイプの無線エンドポイント、移動ステーション、移動式電話、無線ローカルループ電話、スマートフォン、ユーザ機器（ＵＥ）、デスクトップコンピュータ、ＰＤＡ、セル式電話、タブレット、ラップトップコンピュータ、ＶｏＩＰ電話またはハンドセットでよい。たとえば、無線デバイス１１０は、１つもしくは複数のネットワークノード１１０ａ〜１１０ｂに無線信号を送信してよく、かつ／または１つもしくは複数のネットワークノード１１０ａ〜１１０ｂから無線信号を受信してよい。無線信号は、音声トラフィック、データトラフィック、制御信号、および／または任意の他の適切な情報を含有し得る。いくつかの実施形態では、ネットワークノード１１０に関連した無線信号のカバレッジ領域はセルと称され得る。いくつかの実施形態では、無線デバイス１１０はデバイス対デバイス（Ｄ２Ｄ）の能力を有し得る。したがって、無線デバイス１１０は、別の無線デバイスとの間で信号を直接送受信することができてよい。
【００６５】
無線デバイス１１０は、インターフェース１１１、プロセッサ１１２、記憶機構１１３、アンテナ１１４、および電力源１１５を備える。無線デバイス１１０の構成要素は、ネットワークノード１００と同様に、単一のより大きなボックスの内部にある単一のボックスとして表現されているが、しかしながら、実際には、無線デバイスは、単一の図解された構成要素を構成する複数の異なる物理的構成要素を備え得る（たとえば、記憶機構１１３は、複数の離散マイクロチップを備えてよく、各マイクロチップが総記憶容量の一部分を表す）。
【００６６】
インターフェース１１１は、無線デバイス１１０とネットワークノード１００の間のシグナリングおよび／またはデータの無線通信に使用され得る。たとえば、インターフェース１１１は、無線デバイス１１０が無線接続を通じてネットワークノード１００との間でデータを送受信するのを可能にするために必要とされ得る、任意のフォーマット化、符号化、または書き換えを実施してよい。インターフェース１１１は、無線送信器および／または無線受信器も含み得、これらはアンテナ１１４に結合されてよく、アンテナ１１４の一部分でもよい。無線器は、ネットワークノード１００に送付されるデジタルデータを、無線接続を介して受信してよい。無線器は、デジタルデータを、適切なチャネルおよび帯域幅パラメータを有する無線信号に変換してよい。次いで、無線信号は、アンテナ１１４を介してネットワークノード１００へ送信されてよい。
【００６７】
プロセッサ１１２は、マイクロプロセッサ、コントローラ、マイクロコントローラ、中央処理装置、デジタル信号プロセッサ、特定用途向け集積回路、フィールドプログラマブルゲートアレイ、処理回路、または任意の他の適切なコンピュータデバイス、リソースのうち１つまたは複数の組合せ、あるいは、単独で、または記憶機構１１３など無線デバイス１１０の他の構成要素と組み合わせて、無線デバイス１１０の機能をもたらすように動作可能なハードウェア、ソフトウェアおよび／または符号化されたロジックの組合せでよい。そのような機能には、本明細書で開示された機能または利点のうち任意のものを含めて、本明細書で論じられた様々な無線機能をもたらすことが含まれ得る。
【００６８】
記憶機構１１３は、限定することなく、持続性の記憶機構、ソリッドステートメモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性の記憶装置でよい。記憶機構１１３は、無線デバイス１１０によって利用される、ソフトウェアおよび符号化されたロジックを含む任意の適切なデータ、命令、または情報を記憶し得る。記憶機構１１３は、プロセッサ１１２による任意の計算および／またはインターフェース１１１を介して受信した任意のデータを記憶するように使用され得る。
【００６９】
アンテナ１１４は、データおよび／または信号を無線で送受信することができる任意のタイプのアンテナでよい。いくつかの実施形態では、アンテナ１１４は、２ＧＨｚ〜６６ＧＨｚの無線信号を送受信するように動作可能な１つまたは複数の全方向アンテナ、セクタアンテナ、またはパネルアンテナを備え得る。簡単さのために、アンテナ１１４は、無線信号が使用されている限り、インターフェース１１１の一部分と見なされ得る。
【００７０】
電力源１１５は電力管理回路を備え得る。電力源１１５は電源から電力を受け取ってよく、電源は、電力源１１５に備わっていても、または電力源１１５の外部にあってもよい。たとえば、無線デバイス１１０は、電力源１１５に接続されているかまたは電力源１１５に組み込まれているバッテリまたはバッテリパックの形態の電源を備え得る。光起電力デバイスなど他のタイプの電力源も使用され得る。さらなる例として、無線デバイス１１０は、入力回路または電気ケーブルなどのインターフェースを介して外部の電源（電力コンセントなど）に接続可能でよく、これによって外部の電源が電力源１１５に電力を供給する。電力源１１５は、インターフェース１１１、プロセッサ１１２、記憶機構１１３に対して電気的に結合されてよく、本明細書に記載の機能を実施するための電力を無線デバイス１１０に供給するように設定されてよい。
【００７１】
特定の実施形態では、ネットワークノード１００は、無線ネットワークコントローラとインターフェースをとってよい。無線ネットワークコントローラはネットワークノード１００を制御してよく、特定の無線リソース管理機能、移動性管理機能、および／または他の適切な機能を提供し得る。特定の実施形態では、無線ネットワークコントローラの機能はネットワークノード１００によって実施され得る。無線ネットワークコントローラはコアネットワークノードとインターフェースをとってよい。特定の実施形態では、無線ネットワークコントローラは、相互接続ネットワークを介してコアネットワークノードとインターフェースをとってよい。相互接続ネットワークは、音声、映像、信号、データ、メッセージ、または前出のものの任意の組合せを送信することができる任意の相互接続システムを指し得る。相互接続ネットワークは、ＰＳＴＮ、公衆データネットワークもしくは私的データネットワーク、ローカルエリアネットワーク（ＬＡＮ）、都市内ネットワーク（ＭＡＮ）、広域ネットワーク（ＷＡＮ）、構内通信、地域内通信、もしくはグローバル通信、またはインターネット、有線もしくは無線のネットワーク、企業イントラネットなどのコンピュータネットワーク、またはこれらの組合せを含む任意の他の適切な通信リンクのすべてもしくは一部分を含み得る。図８は、無線ネットワークコントローラのさらなる機能を説明するものである。
【００７２】
いくつかの実施形態では、コアネットワークノードは、無線デバイス１１０に対する通信セッションおよび様々な他の機能の確立を管理し得る。無線デバイス１１０は、非アクセス階級（ＮＡＳ）層を使用して、コアネットワークノードと特定の信号を交換してよい。非アクセス階級のシグナリングでは、無線デバイス１１０とコアネットワークノードの間の信号は無線アクセスネットワークを透過的に通過し得る。特定の実施形態では、ネットワークノード１００は、ノード間インターフェースを通じて１つまたは複数のネットワークノードとインターフェースをとってよい。たとえば、ネットワークノード１００ａおよび１００ｂは、Ｘ２インターフェースを通じてインターフェースをとってよい。
【００７３】
図４は無線ネットワークの特別な機構を図解しているが、本開示は、本明細書に記載の様々な実施形態が任意の適切な設定を有する様々なネットワークに適用され得ることを企図するものである。たとえば、無線ネットワークは、任意の適切な数の無線デバイス１１０およびネットワークノード１００、ならびに、各無線デバイスの間、または無線デバイスと別の通信デバイス（地上通信線電話など）の間の通信をサポートするのに適切な任意の追加要素を含み得る。さらに、特定の実施形態は、Ｌｏｎｇ−Ｔｅｒｍ  Ｅｖｏｌｕｔｉｏｎ（ＬＴＥ）ネットワークにおいて実施されると説明され得るが、任意の適切なタイプの電気通信システムにおいて実施され得、このような通信システムは、任意の適切な通信規格をサポートし、任意の適切な構成要素を使用するものであり、無線デバイスが信号（たとえばデータ）を送受信するあらゆるＲＡＴまたはマルチＲＡＴシステムに適用可能である。たとえば、本明細書に記載の様々な実施形態は、ＮＲ、ＬＴＥ、ＬＴＥ−Ａｄｖａｎｃｅｄ、ＵＭＴＳ、ＨＳＰＡ、ＧＳＭ、ｃｄｍａ２０００、ＷｉＭａｘ、ＷｉＦｉ、別の適切な無線アクセス技術、または任意の適切な無線アクセス技術に適用可能であり得る。
【００７４】
上記で説明されたように、本開示は、ＲＳＴＤ測定用の参照ＴＰの選択の制御を提供する様々な実施形態を企図するものである。たとえば、一実施形態では、無線デバイス１１０は、少なくとも２つのＴＰを有するセルにおけるＲＳＴＤ測定をサポートすることに関係のある無線デバイス１１０の能力を、第１のネットワークノード１００ａに指示してよい。特定の実施形態では、共用セルにおける、すべてではない１つまたは複数のＴＰが、測位に関連するＴＰでよい。すなわち、測位に関連するＴＰが、測位に関連する信号を送信する。これらの測位に関連するＴＰが、参照ＴＰとして動作し得る。ネットワークノード１００ａに通信される指示は、要求に応じて、もしくは自発的なやり方で、および／または起動条件もしくは起動イベントに応じて、与えられてよい。たとえば、いくつかの実施形態では、無線デバイス１１０は、ネットワークノード１００からの要求に応答して、複数のＴＰを有するセルにおけるＲＳＴＤ測定をサポートする無線デバイス１１０の能力を通信してよい。
【００７５】
いくつかの実施形態では、無線デバイス１１０は第２のネットワークノード１００ｂから補助データ／補助情報を受信してよい。補助情報は第１の参照ＴＰに関連したデータを含み得る。補助情報は任意の適切なデータでよい。たとえば、補助情報は、とりわけ、ＬＰＰ、ＬＰＰｅ、ＲＲＣ、および（Ｄ２Ｄ通信における）サイドリンクを含むがこれらには限定されない任意の適切な通信チャネルを通じて受信されたＯｂｓｅｒｖｅｄ  Ｔｉｍｅ  Ｄｉｆｆｅｒｅｎｃｅ  Ｏｆ  Ａｒｒｉｖａｌ（ＯＴＤＯＡ）の補助データを含み得る。いくつかの実施形態では、補助情報は第１の参照ＴＰに関連した参照セルをさらに含み得る。
【００７６】
いくつかの実施形態では、参照ＴＰに関連したデータは、ＴＰ固有のＩＤ（たとえばグローバルＩＤまたは関連するセルの内部のＴＰのＩＤ）、ＴＰ固有のミューティングパターン、時間領域および／もしくは周波数領域の送信パターンもしくはＴＰの送信スケジューリング情報、ＴＰの送信を時間において特徴づける時間オフセットもしくは遅延パラメータ、アンテナポートの設定もしくはアンテナの設定、ＴＰにおける送信電力に関係のある１つもしくは複数のパラメータ（たとえば電力のオフセット、増加、減少など）、キャリア周波数、ＴＰによって送信される少なくとも１つの信号の設定、ＴＰが測位に使用され得るかどうかの指示（すなわちＴＰの測位関連）、ならびに／またはＴＰ位置（たとえば絶対位置か相対位置か）のうち１つまたは複数を含み得るが、これらには限定されない。
【００７７】
さらなる例証のために、以下の非限定的なシグナリングの例１および例２は、ＴＰ固有の要素をさらに備え得るＴＰのデータ要素を示すものである。
2019530292.tif 000007
2019530292.tif 000008
例２は、ｏｔｄｏａ−ＲｅｆｅｒｅｎｃｅＣｅｌｌＩｎｆｏおよびｏｔｄｏａ−ＲｅｆｅｒｅｎｃｅＴＰＩｎｆｏを示す。いくつかの実施形態では、ｏｔｄｏａ−ＲｅｆｅｒｅｎｃｅＣｅｌｌＩｎｆｏとｏｔｄｏａ−ＲｅｆｅｒｅｎｃｅＴＰＩｎｆｏは、どちらも信号伝達されてよい。いくつかの実施形態では、ｏｔｄｏａ−ＲｅｆｅｒｅｎｃｅＣｅｌｌＩｎｆｏとｏｔｄｏａ−ＲｅｆｅｒｅｎｃｅＴＰＩｎｆｏの一方だけが信号伝達されてよい。たとえば、参照がＴＰであればｏｔｄｏａ−ＲｅｆｅｒｅｎｃｅＴＰＩｎｆｏが供給されることになり、そうでなければｏｔｄｏａ−ＲｅｆｅｒｅｎｃｅＣｅｌｌＩｎｆｏが供給され得る。
【００７８】
いくつかの実施形態では、第１の参照ＴＰは少なくとも１つのＲＳＴＤ測定のための参照として使用され得、無線デバイス１１０は参照ＴＰに関連したデータを使用してＲＳＴＤ測定を実施する。
【００７９】
いくつかの実施形態では、無線デバイス１１０は参照ＴＰ（すなわち第２の参照ＴＰ）を再選択してよい。無線デバイス１１０は、第１の参照ＴＰに関する第１のＲＳＴＤ測定を実施するのに加えて、またはその代わりに、この第２の参照ＴＰに関する第２のＲＳＴＤ測定を実施してよい。たとえば、無線デバイス１１０は、第１の参照ＴＰが受入れ可能なＲＳＴＤ測定値をもたらさない（たとえば、とりわけ、ＲＳＴＤ測定値が精度要件を満たさない、かつ／またはＰＲＳ  ＳＩＮＲが必要なデシベル以下である）と決定することがある。無線デバイス１１０は、第１の参照ＴＰとは異なる第２の参照ＴＰを選択し、第２の参照ＴＰからの第２のＲＳＴＤ測定値を計算してよい。いくつかの実施形態では、無線デバイス１１０は、第１の参照ＴＰからのＲＳＴＤ測定値を計算する代わりに、異なる第２の参照ＴＰを決定してよい。次いで、無線デバイス１１０は、第２の参照ＴＰからのＲＳＴＤ測定値を計算してよい。
【００８０】
無線デバイス１１０は、任意の適切な手順を使用して第２の参照ＴＰを選択し得る。たとえば、無線デバイス１１０は、限定することなく、
・あらかじめ規定されたルール（たとえば、とりわけ、参照ＴＰはＴＰ数が最少のセルまたはＴＰ数が閾値未満のセルに関連して選択され、候補の参照ＴＰは閾値より長くない周期性で必要な信号を送信するべきである）、
・ＵＥにおける事前設定に基づいて、
・ＵＥに記憶された履歴情報、
・ネットワークノード１００から受信したメッセージの中の指示または設定、
・１つまたは複数の測定結果（たとえば、最善の性能特性を有するＴＰまたは最短のＴＯＡなど特定の基準を満たすＴＰ、最善の信号強度または信号品質、閾値を上回る信号品質）、
・補助データの内容（たとえば、ＯＴＤＯＡの補助データは、第１の参照ＴＰが基準を満たさない場合、第２の参照ＴＰとしてどのＴＰを選択するべきか、明示的または暗示的に指示してよい）、
・補助データにおけるＴＰの順番（たとえば、第１の参照ＴＰが基準を満たさない場合、この順番における２番目のＴＰが第２の参照ＴＰとして選択される）、
・ＴＰの性能特性（たとえば、候補の参照ＴＰは、とりわけ、閾値未満の送信タイミングエラーを有し得、ＵＥに対して閾値以内の距離またはタイミングであり得、閾値を上回る信号強度または信号品質を提供し得る）
といった項目のうち１つまたは複数に基づいて第２の参照ＴＰを選択してよい。
【００８１】
例証のために、一実施形態では、サービングセルの中で、第２の参照ＴＰは、最も強い信号を供給するもの、または無線デバイス１１０に最も近いものであり得る。別の例では、第２の参照ＴＰは、近隣のセルの中で最も強い信号を供給するＴＰ、または最も近いＴＰであり得る。いくつかの実施形態では、無線デバイス１１０は、１つまたは複数の測定を実施して、第２の参照ＴＰの選択を決定し得る。いくつかの実施形態では、無線デバイス１１０は同一のＴＰを再選択してよく、したがって、いくつかの実施形態では、第１の参照ＴＰと第２の参照ＴＰは同一のものであり得る。
【００８２】
第２の参照ＴＰの選択は、特定のイベントまたは条件によって起動されてよい。そのようなイベントまたは条件には、信号の強度が閾値未満に低下したとき、セル変更が生じたとき、および／または第１の参照ＴＰの信号性能特性が（たとえば移動性のために）閾値を上回ったときが含まれ得るが、これらには限定されない。第２の参照ＴＰは、第１の参照ＴＰと同一のセルまたは異なるセルと関連するように選択されてよい。後者では、第２の参照ＴＰが関連づけられるセルの第１の選択は、第２の参照ＴＰの選択に先行してもよい。
【００８３】
いくつかの実施形態では、無線デバイス１１０は、第２の参照ＴＰを選択する場合には、第２の参照ＴＰをネットワークノード１００に指示してよい。いくつかの実施形態では、この指示は、第２の参照ＴＰに関連した参照セルをさらに含み得る。無線デバイス１１０は、第１の参照ＴＰと第２の参照ＴＰが異なるとき、ネットワークノード１００に指示を通信してよく、そうでなければ、報告されたＲＳＴＤ測定値に関する参照ＴＰは、ＯＴＤＯＡの補助データにおいて提供されたのと同じものであると想定されてよい。しかしながら、第２の参照ＴＰはまた、第１の参照ＴＰと同一のものであっても常に指示されることが企図されている。この指示は、たとえば前述のＴＰ関連のデータのうち任意のものといった、ＴＰに関する他のデータをさらに含み得る。さらなる例証のために、以下で非限定的な例３が説明される。
2019530292.tif 000009
上記の例３では、ｔｐＩｄＲｅｆが含まれていれば、参照セルではなく参照ＴＰに関するｒｅｆｅｒｅｎｃｅＱｕａｌｉｔｙも提供され得る。
【００８４】
無線デバイス１１０は、第１の参照ＴＰおよび／または第２の参照ＴＰに関して第１のＲＳＴＤ測定値および／または第２のＲＳＴＤ測定値を計算した後に、第１のＲＳＴＤ測定値および／または第２のＲＳＴＤ測定値をネットワークノード１００に通信してよい。無線デバイス１１０は、無線デバイス１１０に補助情報を通信したのと同一のネットワークノード１００にＲＳＴＤ測定値を通信してよい。特定の実施形態では、無線デバイス１１０は、異なるネットワークノード１００にＲＳＴＤ測定値を通信してよい。
【００８５】
加えて、またはその代わりに、無線デバイス１１０は、１つまたは複数の運用上のタスクにＲＳＴＤ測定値を利用してよい。運用上のタスクの非限定的な例には、とりわけ、測位すること、無線デバイス１１０の送信タイミングまたはタイミングアドバンスを制御すること、ＲＲＭ、内部または外部のデータベースに記憶すること、および自己組織化ネットワーク（ＳＯＮ）が含まれ得る。
【００８６】
あらゆる適切なステップ、方法、または機能が、たとえば上記の図において図解された構成要素および機器によって実行され得るコンピュータプログラム製品によって実施されてよい。たとえば、記憶機構１０３は、コンピュータプログラムを記憶することができる持続性コンピュータ可読手段を備え得る。コンピュータプログラムが含み得る命令により、プロセッサ１０２（ならびにインターフェース１０１および記憶機構１０３など任意の動作可能に結合されたエンティティおよびデバイス）は、本明細書に記載の実施形態による方法を実行する。したがって、コンピュータプログラムおよび／またはコンピュータプログラム製品は、本明細書で開示された任意のステップを実施するための手段を提供し得る。
【００８７】
図５は、特定の実施形態による、ＲＳＴＤ測定用の参照ＴＰの選択を制御するための信号流れ図５００を図解するものである。信号流れ図５００は、無線デバイスが、参照ＴＰの選択を制御して、その参照ＴＰに基づくＲＳＴＤ測定値を計算することを可能にする、ネットワークノード１００と無線デバイス１１０の間の例示のシグナリングプロトコルを説明するものである。
【００８８】
図解された実施形態では、無線デバイス１１０はネットワークノード１００に信号Ｓ５０２を通信する。信号Ｓ５０２は、少なくとも２つのＴＰを有するセルにおけるＲＳＴＤ測定をサポートする無線デバイス１１０の能力の指示をネットワークノード１００に供給してよい。いくつかの実施形態では、この能力は、無線デバイス１１０向けの補助データを生成するときネットワークノード１００によって担われ得る。たとえば、ネットワークノード１００は、無線デバイス１１０からの指示を受信することにより、ネットワークノード１００が後に無線デバイス１１０に通信する補助データの、参照ＴＰに関する／関連したデータを含み得る。
【００８９】
いくつかの実施形態では、ネットワークノード１００は、そのような能力の要求を送ることに応答して、または自発的なやり方で（たとえばＵＥにおけるイベントと同時に、または条件次第で）無線デバイス１１０からの指示を受信してよい。
【００９０】
ステップ５０４において、ネットワークノード１００は、無線デバイス１１０によって実施されるＲＳＴＤ測定用の第１の参照ＴＰを決定してよい。いくつかの実施形態では、第１の参照ＴＰを決定することは、別のネットワークノード（たとえばＯ＆Ｍ、ｅＮｏｄｅＢ、もしくは測位ノード、またはＵＥなど別のネットワークノード）から１つまたは複数のＴＰ（第１の参照ＴＰを含み得る）に関するデータを得ることも含み得る。このデータは、他のネットワークノードから、Ｘ２を含むがこれらに限定されない任意の適切な通信チャネルもしくは類似のインターフェースを通じて、またはＬＰＰａプロトコルを介して、受信され得る。このデータは、ネットワークノード１００によって、ネットワークノードから、先を見越して、または明示的もしくは暗示的な要求に際して受信され得る。
【００９１】
１つまたは複数のＴＰに関するデータは、前述のＴＰに関係のある要素を含む任意の適切な情報（すなわち参照ＴＰに関連したデータ）を含み得る。このデータは、とりわけ、固有のセルに関連したＴＰの数、個別のＴＰの測位の妥当性（たとえば固有の測位信号の可用性）、セルにおけるＴＰ送信間の関係を記述するルールまたはパターン（たとえば、異なるＴＰは、異なるＴＰの送信の間の一定の時間間隔を伴って特定の順番で順次に送信され、次いで同じ順番で繰り返す）も含み得る。いくつかの実施形態では、同一のセルに関連した１組のＴＰでは、測位に関連するＴＰは、すべてではない１つまたはいくつかのＴＰのみであり得る。そのような測位関連のＴＰに関する情報はまた、関連するセル／ノード、または制御ノード（たとえばＯ＆Ｍ）によってもたらされ得る。１つまたは複数のＴＰに関するデータは、ネットワークノードにさらに記憶され得る。
【００９２】
１組のＴＰから、無線デバイス１１０に関する第１の参照ＴＰになるＴＰを選択するための方法は、上記で説明された、無線デバイス１１０において第２の参照ＴＰを選択するための方法に類似のものでよい。たとえば、限定するのではなく、選択することは、
・あらかじめ規定されたルール、
・ＴＰに関連したノードによる指示または示唆（たとえば、ｅＮｏｄｅＢは、そのＴＰのうち１つを参照として推奨してよい）、
・ネットワークノードに記憶された履歴情報、
・別のノード（たとえばＯ＆Ｍなどの制御ノード）から受信したメッセージの中の指示または設定、
・１つまたは複数の無線デバイス１１０から収集された測定値に基づく統計、
・無線デバイス１１０の測定値（たとえば、ネットワークノードは、ＲＳＴＤ測定を設定するのに先立って無線デバイス１１０にいくつかの測定値を要求してよく、次いで、これらは、どのＴＰが参照ＴＰとして最もよく適合するか指示することができる）
のうち１つまたは複数に基づき得る。
【００９３】
ネットワークノード１００は、実施されるＲＳＴＤ測定用の第１の参照ＴＰを決定した後で、無線デバイス１１０に信号Ｓ５０６を通信してよい。信号Ｓ５０６は、無線デバイス１１０に対する補助データを含み得る。補助データは、第１の参照ＴＰに関するデータを含み得る。いくつかの実施形態では、第１の参照ＴＰに関連したデータは第１の参照ＴＰに関連した参照セルをさらに含み得る。
【００９４】
ステップ５０８において、無線デバイス１１０はネットワークノード１００から補助データを受信し、補助データを使用して第１のＲＳＴＤ測定値を計算し得る。上記で説明されたように、補助データは、位置決定プロセス（たとえば、とりわけＴＯＡ、ＴＤＯＡ、ＯＴＤＯＡ）の一部分として使用され得る。補助データは第１の参照ＴＰに関連したデータを含み得る。第１の参照ＴＰに関連したデータは、とりわけ、ＴＰ固有のＩＤ（たとえば関連するセルの内部のグローバルＩＤもしくはＴＰのＩＤ）などのデータ、またはＴＰ固有のミューティングパターンを含み得るが、これらには限定されない。
【００９５】
いくつかの実施形態では、無線デバイス１１０は、ステップ５１０を実施して第２の参照ＴＰを選択し得る。たとえば、特定の実施形態では、無線デバイス１１０は、ＲＳＴＤ測定を実施するとき、第１の参照ＴＰは参照ＴＰとして使用するのにもはや適切ではないと決定することがある。無線デバイス１１０は、第１の参照ＴＰとは異なる第２の参照ＴＰを選択し、第２の参照ＴＰからの第２のＲＳＴＤ測定値を計算してよい。上記で説明されたように、図４を参照して、第２の参照ＴＰの選択は１つまたは複数の係数に基づくものであり得る。
【００９６】
無線デバイス１１０は、第１のＲＳＴＤ測定値および／または第２のＲＳＴＤ測定値を計算した後で、ネットワークノード１００に信号Ｓ５１２を通信してよい。特定の実施形態では、信号Ｓ５１２は、無線デバイス１１０によってＲＳＴＤ測定値を計算するために使用される第２の参照ＴＰの、無線デバイス１１０からの指示を含み得る。たとえば、この指示は、第２の参照ＴＰに関連した参照セルを含み得る。いくつかの実施形態では、無線デバイス１１０は、ネットワークノード１００に１つまたは複数のＲＳＴＤ測定値を通信してよい。特定の実施形態では、ＲＳＴＤ測定値は、信号Ｓ５０６で無線デバイス１００に供給される、第１の参照ＴＰに関連したデータに基づくものであり得る。ＲＳＴＤの測定結果は、測定報告の一部分としてネットワークノード１００に供給され得る。
【００９７】
図解された実施形態はネットワークノード１００に信号Ｓ５１２を通信する無線デバイス１１０を示すが、無線デバイス１１０は、無線通信ネットワーク４００における任意の適切なノードに信号Ｓ５１２を通信してよい。その上に、信号Ｓ５１２は単一信号として図解されているが、無線デバイス１１０は、信号Ｓ５１２に含有されている情報を複数の送信で通信してよい。加えて、図５に関して本明細書に記載のいかなるステップも、特定の実施形態の単なる例証である。いくつかの実施形態では、無線デバイス１１０および／またはネットワークノード１００によって追加のステップが実施され得る。いくつかの実施形態では、特定の図解されたステップ（たとえば破線のステップ）が省略されてよく、または異なる順番で実施されてよい。たとえば、いくつかの実施形態では、無線デバイス１１０が、ネットワークノード１００に信号Ｓ５０２を通信しないことがある。
【００９８】
図６は、特定の実施形態による、無線デバイス１１０においてＲＳＴＤ測定用の参照ＴＰの選択を制御するための方法６００の流れ図である。いくつかの実施形態では、方法６００は、参照ＴＰの選択を制御することによってＲＳＴＤ測定を改善するために無線デバイス１１０によって実施され得る。ステップ６０２において、無線デバイス１１０は、少なくとも２つのＴＰを有するセルにおけるＲＳＴＤ測定をサポートすることに関係のある無線デバイスの能力を、第１のネットワークノード１００ａに指示／通信してよい。いくつかの実施形態では、この指示は、要求に応じて、もしくは自発的なやり方で、および／または起動条件もしくは起動イベントに応じて、供給されてよい。たとえば、いくつかの実施形態では、無線デバイス１１０は、ネットワークノード１００から要求に応答して、複数のＴＰを有するセルにおけるＲＳＴＤ測定をサポートする無線デバイス１１０の能力を通信してよい。
【００９９】
ステップ６０４において、無線デバイス１１０はネットワークノード１００から補助データ／補助情報を受信してよい。補助情報は、第１の参照ＴＰに関するデータまたは関連したデータを含み得る。補助情報は任意の適切なデータでよい。たとえば、補助情報は、とりわけ、ＬＰＰ、ＬＰＰｅ、ＲＲＣ、および（Ｄ２Ｄ通信における）サイドリンクを含むがこれらには限定されない任意の適切な通信チャネルを通じて受信されたＯｂｓｅｒｖｅｄ  Ｔｉｍｅ  Ｄｉｆｆｅｒｅｎｃｅ  Ｏｆ  Ａｒｒｉｖａｌ（ＯＴＤＯＡ）の補助データを含み得る。いくつかの実施形態では、補助情報は第１の参照ＴＰに関連した参照セルをさらに含み得る。
【０１００】
いくつかの実施形態では、参照ＴＰに関連したデータは、
・ＴＰ固有のＩＤ（たとえばグローバルＩＤもしくは関連するセルの内部のＴＰのＩＤ）、
・ＴＰ固有のミューティングパターン、
・時間領域および／もしくは周波数領域の送信パターンもしくはＴＰの送信スケジューリング情報、
・ＴＰの送信を時間において特徴づける時間オフセットもしくは遅延パラメータ、
・アンテナポートの設定もしくはアンテナの設定、
・ＴＰにおける送信電力に関係のある１つもしくは複数のパラメータ（たとえば電力のオフセット、増加、減少など）、
・キャリア周波数、
・ＴＰによって送信される少なくとも１つの信号の設定、
・ＴＰが測位に使用され得るかどうかの指示（すなわちＴＰの測位関連）、および／または
・ＴＰ位置（たとえば絶対位置もしくは相対位置）
のうち１つまたは複数を含み得るが、これらには限定されない。
【０１０１】
ステップ６０６において、無線デバイス１１０は、ネットワークノード１００から受信された補助情報を使用してＲＳＴＤ測定値を計算してよい。たとえば、いくつかの実施形態では、無線デバイス１１０は、参照ＴＰに関連したデータを使用してＲＳＴＤ測定を実施する。特定の実施形態では、第１の参照ＴＰは少なくとも１つのＲＳＴＤ測定のための参照として使用され得る。
【０１０２】
ステップ６０８において、無線デバイス１１０は参照ＴＰ（すなわち第２の参照ＴＰ）を再選択してよい。無線デバイス１１０は、第１の参照ＴＰに関するＲＳＴＤ測定を実施するのに加えて、またはその代わりに、この第２の参照ＴＰに関するＲＳＴＤ測定を実施してよい。たとえば、無線デバイス１１０は、１つまたは複数の規格に従って、第１の参照ＴＰが受入れ可能なＲＳＴＤ測定値をもたらさないと決定することがある。それゆえに、無線デバイス１１０は、第１の参照ＴＰとは異なる第２の参照ＴＰを選択してよい。いくつかの実施形態では、無線デバイス１１０は、第１の参照ＴＰからのＲＳＴＤ測定値を計算する代わりに、異なる第２の参照ＴＰを決定してよい。上記で説明されたように、図４に関して、無線デバイス１１０は、第２の参照ＴＰを選択するために任意の適切な手順を使用し得る。ステップ６１０において、無線デバイス１１０は、第２の参照ＴＰを使用して第２のＲＳＴＤ測定値を計算し得る。
【０１０３】
ステップ６１２において、無線デバイス１１０は、ＲＳＴＤ測定値および／または第２の参照ＴＰの指示をネットワークノード１００に通信してよい。いくつかの実施形態では、無線デバイス１１０は、第２の参照ＴＰを選択する場合には、第２の参照ＴＰをネットワークノード１００に指示してよい。いくつかの実施形態では、この指示は、第２の参照ＴＰに関連した参照セルをさらに含み得る。
【０１０４】
一実施形態では、第１の参照ＴＰと第２の参照ＴＰが異なるときには指示が含まれており、そうでなければ、報告されたＲＳＴＤ測定に関する参照ＴＰはＯＴＤＯＡの補助データの中でもたらされたのと同一のものであると想定され得る。さらに別の実施形態では、第２の参照ＴＰは、第１の参照ＴＰと同一のものであっても常に指示される。
【０１０５】
図７は、特定の実施形態による、ネットワークノード１００においてＲＳＴＤ測定用の参照ＴＰの選択を制御するための方法７００の流れ図である。ステップ７０２において、ネットワークノード１００は、無線デバイス１１０から、２つ以上のＴＰを有するセルにおけるＲＳＴＤ測定をサポートする無線デバイス１１０の能力を受信し得る。いくつかの実施形態では、補助データが生成されて無線デバイス１１０に送信されたとき、ネットワークノード１００は、この能力情報を利用し得る。いくつかの実施形態では、ネットワークノード１００は、そのような能力（図示せず）の要求を送ることに応答して、または自発的なやり方で（たとえばＵＥにおけるイベントと同時に、または条件次第で）この能力情報を受信してよい。
【０１０６】
ステップ７０４において、ネットワークノード１００は、第１のＲＳＴＤ測定値を計算するために無線デバイスが使用する第１の参照ＴＰを決定し得る。図４および図５に関して上記で説明されたように、ネットワークノード１００は、とりわけ、あらかじめ規定されたルール、履歴情報、ＴＰに関連したノードからの指示を使用することを含むがこれらには限定されない１つまたは複数の方法を使用して、第１の参照ＴＰを決定してよい。
【０１０７】
ステップ７０６において、ネットワークノード１００は無線デバイス１１０に補助情報を通信してよい。補助情報は第１の参照ＴＰに関連したデータを含み得る。図４および図５を参照して上記で説明されたように、第１の参照ＴＰに関連したデータを含む補助情報は、任意の適切な情報／データを含み得る。いくつかの実施形態では、第１の参照ＴＰに関連したデータは第１の参照ＴＰに関連した参照セルを含み得る。
【０１０８】
ステップ７０８において、ネットワークノード１００は無線デバイス１１０からＲＳＴＤ測定値を受信し得る。いくつかの実施形態では、ＲＳＴＤ測定値は、ステップ７０６においてネットワークノード１００が通信した第１の参照ＴＰに関連したデータに関連づけられてよい。いくつかの実施形態では、測定報告においてＲＳＴＤ測定値が提供されてよい。
【０１０９】
ステップ７１０において、ネットワークノードは、無線デバイス１１０から第２の参照ＴＰの指示を受信し得る。いくつかの実施形態では、ネットワークノード１００は、無線デバイス１１０から第２のＲＳＴＤ測定値も受信し得る。第２のＲＳＴＤ測定値は第２の参照ＴＰに関連づけられてよい。いくつかの実施形態では、この指示は、第２の参照ＴＰに関連した参照セルをさらに含み得る。
【０１１０】
図６および図７に関して本明細書に記載のいかなるステップも、特定の実施形態の単なる例証である。すべての実施形態が、開示されたステップのすべてを組み込まなければならないわけではなく、各ステップは、本明細書で表現された、または説明された、正確な順番で実施されなければならないわけでもない。たとえば、特定の実施形態では、方法６００を実施するとき、無線デバイス１１０はステップ６０２および／またはステップ６０８をスキップしてよい。同様に、特定の実施形態では、方法７００を実施するとき、ネットワークノード１００はステップ７０２および／またはステップ７１０を実施しなくてもよい。その上、いくつかの実施形態は、本明細書で開示されたステップのうち１つまたは複数に固有のステップを含めて、本明細書における図解または説明のないステップを含み得る。たとえば、無線デバイス１１０は、方法６００におけるステップ６０８を実施することに加えて、またはその代わりに、計算されたＲＳＴＤ測定値を、無線デバイスの送信のタイミングを制御すること、またはＯＴＤＯＡのような測定技術を使用して自身の位置を決定することなどの運用上のタスクのために使用してよい。
【０１１１】
図８は、特定の実施形態による、例示的な無線ネットワークコントローラまたはコアネットワークノード８１０の概略ブロック図である。ネットワークノードの例には、移動交換センタ（ＭＳＣ）、サービングＧＰＲＳサポートノード（ＳＧＳＮ）、移動性管理エンティティ（ＭＭＥ）、無線ネットワークコントローラ（ＲＮＣ）、基地局コントローラ（ＢＳＣ）などが含まれ得る。無線ネットワークコントローラまたはコアネットワークノード８１０は、プロセッサ８２０、記憶装置８３０、およびネットワークインターフェース８４０を含む。いくつかの実施形態では、プロセッサ８２０は、ネットワークノードによってもたらされるものとして上記で説明された機能のいくつかまたはすべてをもたらす命令を実行し、記憶装置８３０は、プロセッサ８２０によって実行される命令を記憶し、ネットワークインターフェース８４０は、ゲートウェイ、スイッチ、ルータ、インターネット、公衆スイッチ電話ネットワーク（ＰＳＴＮ）、ネットワークノード１００、無線ネットワークコントローラまたはコアネットワークノード８１０などの任意の適切なノードと信号を通信する。
【０１１２】
プロセッサ８２０は、命令を実行し、データを操作して、無線ネットワークコントローラまたはコアネットワークノード８１０の説明された機能のうちいくつかまたはすべてを実施するように、１つまたは複数のモジュールで実施された、ハードウェアとソフトウェアの任意の適切な組合せを含み得る。いくつかの実施形態では、プロセッサ８２０は、たとえば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含み得る。
【０１１３】
記憶装置８３０は、一般に、コンピュータプログラム、ソフトウェアなどの命令、ロジック、ルール、アルゴリズム、コード、テーブルなどのうち１つもしくは複数を含むアプリケーション、および／またはプロセッサによって実行され得る他の命令を記憶するように動作可能である。記憶装置８３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性の非一時的なコンピュータ可読および／またはコンピュータ実行可能記憶デバイスが含まれる。
【０１１４】
いくつかの実施形態では、ネットワークインターフェース８４０は、プロセッサ８２０に対して通信可能に結合されており、また、ネットワークノードの入力を受信し、ネットワークノードから出力を送り、入力または出力または両方の適切な処理を実施し、他のデバイスと通信し、あるいは前出のことの任意の組合せを行うように動作可能な任意の適切なデバイスを指してよい。ネットワークインターフェース８４０は、ネットワークによって通信するためのプロトコル変換およびデータ処理の能力を含む、適切なハードウェア（たとえばポート、モデム、ネットワークインターフェースカードなど）およびソフトウェアを含み得る。
【０１１５】
ネットワークノードの他の実施形態に含まれ得る、図８に示されたもの以上のさらなる構成要素は、前述の機能のうちの任意のものおよび／または（前述の実施形態をサポートするのに必要なあらゆる機能を含む）任意の追加機能を含めて、ネットワークノードの機能の特定の態様をもたらすことに関与し得るものである。
【０１１６】
図９は、特定の実施形態による、例示的無線デバイス１１０の概略ブロック図である。無線デバイス１１０は１つまたは複数のモジュールを含み得る。たとえば、無線デバイス１１０は、決定モジュール９１０、通信モジュール９２０、および受信モジュール９３０を含み得る。任意選択で、無線デバイス１１０は、入力モジュール９４０、表示モジュール９５０、および任意の他の適切なモジュールを含み得る。無線デバイス１１０は、ＲＳＴＤ測定のための参照ＴＰの選択を、図４〜図７に関して上記で説明されたように実施してよい。
【０１１７】
決定モジュール９１０は無線デバイス１１０の処理機能を実施し得る。特定の実施形態では、無線デバイス１１０は、図４〜図７に関して上記で説明された機能のうち任意のものを実施し得る。例示の実施形態の１つでは、決定モジュール９１０は、ネットワークノード１００から受信された補助情報を使用して、ＲＳＴＤ測定値を決定／計算してよい。たとえば、いくつかの実施形態では、補助情報はＴＰ固有のＩＤを含み得る。無線デバイス１１０は、ＴＰ固有のＩＤを使用して参照ＴＰを識別してよい。次いで、無線デバイス１１０は、ＲＳＴＤ測定の参照になるＴＰを選択してよい。いくつかの実施形態では、決定モジュール９１０は、ＲＳＴＤ測定値を使用して位置決め技術（たとえばＯＴＤＯＡ）を実施することにより、無線デバイス１１０の位置推定を決定し得る。
【０１１８】
決定モジュール９１０は、図４に関連して上記で説明されたプロセッサ１１２などの１つまたは複数のプロセッサに含まれてよく、または同プロセッサを含み得る。決定モジュール９１０は、決定モジュール９１０および／またはプロセッサ１１２の上記で説明された機能のうちの任意のものを実施するように設定されたアナログ回路および／またはデジタル回路を含み得る。特定の実施形態では、上記で説明された決定モジュール９１０の機能は、１つまたは複数の別個のモジュールにおいて実施されてよい。
【０１１９】
通信モジュール９２０は無線デバイス１１０の通信機能を実施し得る。特定の実施形態では、通信モジュール９２０は、図４〜図７に関して上記で説明された通信機能のうち任意のものを実施し得る。いくつかの実施形態では、通信モジュール９２０は、２つ以上のＴＰを有するセルにおけるＲＳＴＤ測定をサポートする無線デバイス１１０の能力を通信してよい。いくつかの実施形態では、通信モジュール９２０はさらに、決定モジュール９１０によって計算されたＲＳＴＤ測定値をネットワークノード１００に通信してよい。別の例として、通信モジュール９２０は、図５に開示された信号（信号Ｓ５０２およびＳ５１０）を送信してよい。
【０１２０】
通信モジュール９２０は、図４で説明された無線ネットワークのネットワークノード１００ａ〜１００ｂのうち１つまたは複数にメッセージを送信してよい。通信モジュール９２０は、図４に関連して上記で説明されたインターフェース１１１および／またはアンテナ１１４などの送信器および／またはトランシーバを含み得る。通信モジュール９２０は、メッセージおよび／または信号を無線で送信するように設定された回路を含み得る。特別な実施形態では、通信モジュール９２０は、決定モジュール９１０から送信するためのメッセージおよび／または信号を受信してよい。特定の実施形態では、上記で説明された通信モジュール９２０の機能は、１つまたは複数の別個のモジュールにおいて実施され得る。
【０１２１】
受信モジュール９３０は無線デバイス１１０の受信機能を実施し得る。特定の実施形態では、受信モジュール９３０は、図４〜図７に関して上記で説明された無線デバイス１１０の受信機能のうち任意のものを実施し得る。例示の実施形態の１つでは、受信モジュール９３０はネットワークノード１００から補助情報を受信し得る。いくつかの実施形態では、補助情報は第１の参照ＴＰに関連したデータを含み得る。第１の参照ＴＰに関連したデータの例には、とりわけ、第１の参照ＴＰに関連した参照セル、ＴＰ固有のＩＤ（たとえばグローバルＩＤまたは関連するセルの内部のＴＰのＩＤ）、ＴＰ固有のミューティングパターン、時間領域および／または周波数領域の送信パターン、ＴＰの送信スケジューリング情報、ＴＰの送信を時間において特徴づける時間のオフセットまたは遅延のパラメータ、アンテナポートの設定またはアンテナの設定、ＴＰにおける送信電力に関係のある１つまたは複数のパラメータ（たとえば電力のオフセット、増加、減少など）、キャリア周波数、ＴＰによって送信される少なくとも１つの信号の設定、ＴＰが測位に使用され得るかどうかの指示（すなわちＴＰの測位関連）、ならびにＴＰ位置（たとえば絶対位置または相対位置）、が含まれるが、これらには限定されない。
【０１２２】
受信モジュール９３０は、図４に関連して上記で説明されたインターフェース１１１および／またはアンテナ１１４などの受信器および／またはトランシーバを含み得る。受信モジュール９３０は、メッセージおよび／または信号を無線で受信するように設定された回路を含み得る。特別な実施形態では、受信モジュール９３０は、受信したメッセージおよび／または信号を決定モジュール９１０に通信してよい。
【０１２３】
任意選択で、無線デバイス１１０は入力モジュール９４０を含み得る。入力モジュール９４０は、無線デバイス１１０向けに意図されたユーザ入力を受信し得る。たとえば、入力モジュールは、キー押し、ボタン押し、タッチ、スワイプ、音声信号、映像信号、および／または任意の他の適切な信号を受信し得る。入力モジュールは、１つもしくは複数のキー、ボタン、レバー、スイッチ、タッチスクリーン、マイクロフォン、および／またはカメラを含み得る。入力モジュールは、受信された信号を決定モジュール９１０に通信してよい。
【０１２４】
任意選択で、無線デバイス１１０は表示モジュール９５０を含み得る。表示モジュール９５０は、無線デバイス１１０の表示器に信号を示し得る。表示モジュール９５０は、表示器ならびに／あるいは表示器に信号を示すように設定された任意の適切な回路およびハードウェアを含み得る。表示モジュール９５０は、決定モジュール９１０から、表示器に示すための信号を受信し得る。
【０１２５】
決定モジュール９１０、通信モジュール９２０、受信モジュール９３０、入力モジュール９４０、および表示モジュール９５０は、ハードウェアおよび／またはソフトウェアの任意の適切な設定を含み得る。無線デバイス１１０に含まれ得る、図９に示されたもの以上の追加のモジュールは、前述の機能のうちの任意のものおよび／または（本明細書に記載の様々な解決策をサポートするのに必要なあらゆる機能を含む）任意の追加機能を含めて、任意の特定の機能をもたらすことに関与し得るものである。
【０１２６】
図１０は、特定の実施形態による例示的ネットワークノード１００の概略ブロック図である。ネットワークノード１００は１つまたは複数のモジュールを含み得る。たとえば、ネットワークノード１００は、決定モジュール１０１０、通信モジュール１０２０、受信モジュール１０３０、および任意の他の適切なモジュールを含み得る。いくつかの実施形態では、決定モジュール１０１０、通信モジュール１０２０、受信モジュール１０３０、または任意の他の適切なモジュールのうち１つまたは複数が、図４に関連して上記で説明されたプロセッサ１０２などの１つまたは複数のプロセッサを使用して実施され得る。特定の実施形態では、様々なモジュールのうち２つ以上のものの機能が単一のモジュールへと組み合わされてよい。ネットワークノード１００は、図４〜図７を参照して上記で説明されたようなＲＳＴＤ測定用の参照ＴＰの選択を制御するための１つまたは複数のステップを実施し得る。
【０１２７】
決定モジュール１０１０はネットワークノード１００の処理機能を実施し得る。特定の実施形態では、決定モジュール１０１０は、図４〜図７に関して上記で説明されたネットワークノードの機能のうち任意のものを実施し得る。例示の実施形態の１つでは、決定モジュール１０１０は、第１のＲＳＴＤ測定値を計算するために無線デバイス１１０が使用する第１の参照ＴＰを決定してよい。いくつかの実施形態では、無線デバイス１１０から１つまたは複数のＲＳＴＤ測定値を受信した後に、決定モジュール１０１０は、１つまたは複数の位置技術（たとえばＯＴＤＯＡ）を使用して無線デバイス１０１０の位置推定を決定するのにＲＳＴＤ測定値を使用し得る。
【０１２８】
決定モジュール１０１０は、図４に関連して上記で説明されたプロセッサ１０２などの１つまたは複数のプロセッサに含まれてよく、または同プロセッサを含み得る。決定モジュール１０１０は、決定モジュール１０１０および／またはプロセッサ１０２の上記で説明された機能のうちの任意のものを実施するように設定されたアナログ回路および／またはデジタル回路を含み得る。特定の実施形態では、決定モジュール１０１０の機能は、１つまたは複数の別個のモジュールにおいて実施されてよい。たとえば、特定の実施形態では、決定モジュール１０１０の機能のうちのいくつかは割当てモジュールによって実施され得る。
【０１２９】
通信モジュール１０２０はネットワークノード１００の送信機能を実施し得る。特定の実施形態では、ネットワークノード１００は、図４〜図７に関して上記で説明されたノードの機能のうち任意のものを実施し得る。例示の実施形態の１つでは、通信モジュール１０２０は無線デバイス１１０に補助情報を送信／通信してよい。補助情報は第１の参照ＴＰに関連したデータを含み得る。たとえば、第１の参照ＴＰに関連したデータは、とりわけ、第１の参照ＴＰに関連した参照セル、ＴＰ固有のＩＤ（たとえばグローバルＩＤまたは関連するセルの内部のＴＰのＩＤ）、ＴＰ固有のミューティングパターン、時間領域および／または周波数領域の送信パターン、ＴＰの送信スケジューリング情報、ＴＰの送信を時間において特徴づける時間のオフセットまたは遅延のパラメータ、アンテナポートの設定またはアンテナの設定、ＴＰにおける送信電力に関係のある１つまたは複数のパラメータ（たとえば電力のオフセット、増加、減少など）、キャリア周波数、ＴＰによって送信される少なくとも１つの信号の設定、ＴＰが測位に使用され得るかどうかの指示（すなわちＴＰの測位関連）、ならびにＴＰ位置（たとえば絶対位置または相対位置）、を含み得るが、これらには限定されない。
【０１３０】
通信モジュール１０２０は、無線デバイス１１０のうち１つまたは複数にメッセージを送信してよい。通信モジュール１０２０は、図４に関連して上記で説明されたトランシーバ１０１０などの送信器および／またはトランシーバを含み得る。通信モジュール１０２０は、メッセージおよび／または信号を無線で送信するように設定された回路を含み得る。特別な実施形態では、通信モジュール１０２０は、決定モジュール１０１０または任意の他のモジュールから送信するためのメッセージおよび／または信号を受信してよい。
【０１３１】
受信モジュール１０３０はネットワークノード１００の受信機能を実施し得る。特定の実施形態では、受信モジュール１０３０は、図４〜図７において上記で説明されたネットワークノード１００の機能のうち任意のものを実施し得る。例示の実施形態の１つでは、受信モジュール１０３０は、無線デバイス１１０から、２つ以上のＴＰを有するセルにおけるＲＳＴＤ測定をサポートする無線デバイス１１０の能力を受信し得る。いくつかの実施形態では、受信モジュール１０３０は、無線デバイス１１０からＲＳＴＤ測定値を受信し得る。ＲＳＴＤ測定値は、第１の参照ＴＰに関連したデータに関連づけられてよい。たとえば、無線デバイス１１０は、参照ＴＰとして使用するＴＰを選択するのに、第１の参照ＴＰに関連したデータを利用してよい。
【０１３２】
受信モジュール１０３０は、無線デバイス１１０から任意の適切な情報を受信し得る。受信モジュール１０３０は、図４に関連して上記で説明されたインターフェース１０１および／またはアンテナ１０４などの受信器および／またはトランシーバを含み得る。受信モジュール１０３０は、メッセージおよび／または信号を無線で受信するように設定された回路を含み得る。特別な実施形態では、受信モジュール１０３０は、受信したメッセージおよび／または信号を決定モジュール１０１０または任意の他の適切なモジュールに通信してよい。
【０１３３】
決定モジュール１０１０、通信モジュール１０２０、および受信モジュール１０３０は、ハードウェアおよび／またはソフトウェアの任意の適切な設定を含み得る。ネットワークノード１００に含まれ得る、図１０に示されたもの以上の追加のモジュールは、前述の機能のうちの任意のものおよび／または（本明細書に記載の様々な実施形態をサポートするのに必要なあらゆる機能を含む）任意の追加機能を含めて、任意の特定の機能をもたらすことに関与し得るものである。
【０１３４】
本開示の範囲から逸脱することなく、本明細書に記載のシステムおよび方法に対する修正、追加、または省略が可能である。これらの方法は、より多数のステップ、より少数のステップ、または他のステップを含み得る。加えて、ステップは任意の適切な順番で実施されてよい。この文献で説明された実施形態の任意のものが、任意のやり方で互いに組み合わされてよい。その上、本明細書ではＬＡＡの状況で例が示されているが、本明細書に記載の実施形態はＬＡＡに限定されない。説明された実施形態はＬＴＥに限定されることなく、ＵＴＲＡ、ＬＴＥ−Ａｄｖａｎｃｅｄ、５Ｇ、ＮＸ、ＮＢ−ＩｏＴ、ＷｉＦｉ、ＢｌｕｅＴｏｏｔｈなどを含むがこれらには限定されない他のＲＡＴにも適合し得る。
【０１３５】
いくつかの実施形態は、一次サービングセル（ＰＣｅｌｌ）、一次二次セル（ＰＳＣｅｌｌ）および二次（サービング）セル（ＳＣｅｌｌ）といった一般的な用語を使用する。これらの用語は、特定のＵＥが使用されるように設定されている異なるタイプのサービングセルを指し得る。これらの用語に関して使用され得る他の非限定的な用語には、それぞれ一次コンポーネントキャリア（ＰＣＣ）、一次二次コンポーネントキャリア（ＰＳＣＣ）、二次コンポーネントキャリア（ＳＣＣ）がある。本明細書で使用される「無線ノード」という用語は、ＵＥまたは無線ネットワークノードを表すように使用されてよい。
【０１３６】
本開示の実施形態は、無線デバイス１１０の、単一キャリア動作、ならびに、無線デバイス１１０が２つ以上のサービングセルとの間でデータを送受信することができるマルチキャリア動作またはキャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信および／または「マルチキャリア」受信と、区別なく称されることもある。ＣＡでは、コンポーネントキャリア（ＣＣ）のうち１つは一次コンポーネントキャリア（ＰＣＣ）もしくは単に一次キャリアであり、またはアンカキャリアでもある。それ以外のキャリアは二次コンポーネントキャリア（ＳＣＣ）もしくは単に二次キャリアと称され、または二次的キャリアと称されることもある。サービングセルは、一次セル（ＰＣｅｌｌ）または一次サービングセル（ＰＳＣ）と、区別なく称される。同様に、二次サービングセルは、二次セル（ＳＣｅｌｌ）または二次サービングセル（ＳＳＣ）と、区別なく称される。
【０１３７】
本明細書で使用される「シグナリング」という用語は、（たとえばＲＲＣを介しての）上位層シグナリング、（たとえば物理的制御チャネルもしくはブロードキャストされるチャネルを介しての）下位層シグナリング、またはその組合せのうち任意のものを含み得る。シグナリングは暗示的でも明示的でもよい。シグナリングは、さらに、ユニキャスト、マルチキャストまたはブロードキャストでよい。シグナリングは、別のノードに対して直接行われてよく、または第３のノードを介して行われてよい。
【０１３８】
本明細書で使用される時間リソースという用語は、時間の長さで表現された任意のタイプの物理リソースまたは無線リソースに対応し得る。時間リソースの例には、シンボル、タイムスロット、サブフレーム、無線フレーム、ＴＴＩ、インタリービング時間などがある。
【０１３９】
共用セル配置は、少なくとも１つの共用セルを有する配置を指し得る。たとえば、少なくとも１つのセルにおけるＲＲＨの数は２つ以上あり得る。本明細書に記載の実施形態には、少なくとも１つのセルが複数のＲＲＨを有し少なくとも１つのセルが単一の送信ポイント（たとえばＲＲＨがなく通常のＢＳのみまたは単一のＲＲＨ）を有する、混合シナリオも含まれ得る。混合シナリオは、１つのＴＰまたは１つのＲＲＨを有するセルと見られ得る。ＢＳは、ＲＲＨに加えて、共用セルにおいて信号も送信し得、セルにおけるさらに別のＴＰと考えられてよく、またはＢＳも送信していると明示的に指示されてよい。
【０１４０】
次に、添付図面を参照しながら、本明細書で企図された実施形態のうちのいくつかを以下でより完全に説明する。しかしながら、他の実施形態はこの開示の範囲内に含有されており、本発明は、本明細書で明らかにされた実施形態のみに限定されるように解釈されるべきではなく、むしろ、これらの実施形態は、当業者に発明概念の範囲を示唆するために例として提供されたものである。説明の全体にわたって、類似の番号は類似の要素を指す。
【０１４１】
この開示は特定の実施形態に関して説明されてきたが、当業者には実施形態の改変形態および置換形態が明白であろう。それゆえに、実施形態の上記の説明がこの開示に制約を加えることはない。以下の特許請求の範囲によって規定されるように、この開示の趣旨および範囲から逸脱することなく、他の変更形態、置換形態、および改変形態が可能である。
【０１４２】
前出の説明で使用された省略形は以下のものを含む。
ＣＡ          キャリアアグリゲーション
ＣＣ          コンポーネントキャリア
ＣｏＭＰ      協調マルチポイント
ＣＲＳ        セル固有の参照信号
ＤＡＳ        分散型アンテナシステム
ＤＬ          ダウンリンク
Ｅ−ＳＭＬＣ  エボルブドサービングモバイルロケーションセンタ
ＧＭＬＣ      ゲートウェイモバイルロケーションセンタ
ＨＢＳ        家庭内基地局
ＨＰＮ        高電力ノード
ＬＰＰａ      ＬＴＥ測位プロトコルアネックス
ＬＰＮ        低電力ノード
ＬＰＰ        ＬＴＥ測位プロトコル
ＭＭＥ        移動性管理エンティティ
ＯＴＤＯＡ    Ｏｂｓｅｒｖｅｄ  Ｔｉｍｅ  Ｄｉｆｆｅｒｅｎｃｅ  Ｏｆ  Ａｒｒｉｖａｌ
ＰＢＣＨ      物理的ブロードキャストチャネル
ＰＣＩ        物理的セルのＩＤ
ＰＤＳＣＨ    物理的ダウンリンク共用チャネル
ＰＲＳ        測位参照信号
ＰＳＳ        一次同期信号
ＲＡＮ        無線アクセスネットワーク
ＲＳＴＤ      参照信号時間差
ＳＳＳ        二次同期信号
ＴＰ          送信ポイント
ＳＩＢ        システム情報ブロック
ＳＦＮ        単一周波数ネットワーク
【図１】
2019530292.tif 000010
【図２】
2019530292.tif 000011
【図３】
2019530292.tif 000012
【図４】
2019530292.tif 000013
【図５】
2019530292.tif 000014
【図６】
2019530292.tif 000015
【図７】
2019530292.tif 000016
【図８】
2019530292.tif 000017
【図９】
2019530292.tif 000018
【図１０】
2019530292.tif 000019
【国際調査報告】
2019530292.tif 000020
2019530292.tif 000021
2019530292.tif 000022